(57)【要約】【課題】近視を防ぐ又は近視の進行を制御可能なコンタクトレンズ製品を提供する。【解決手段】コンタクトレンズ製品１００は、多焦点コンタクトレンズ１１０と、多焦点コンタクトレンズ１１０が浸される緩衝液１２０と、を備える。多焦点コンタクトレンズ１１０は、中央領域、及び、中央領域を囲む少なくとも２つの環状領域であって、各環状領域のディオプターが中央領域のディオプターとは異なる少なくとも２つの環状領域を含み、シリコーンハイドロゲル又はヒドロゲルから作られる。各環状領域は傾斜の絶対値を有し、全ての傾斜の絶対値の最大値をＳｌｏＰＭａｘとし、全ての傾斜の絶対値の最小値をＳｌｏＰＭｉｎとすると、  ０＜ＳｌｏＰＭｉｎ／ＳｌｏＰＭａｘ≦０．３１  の条件が満たされる。【選択図】  図１
2018045232.tif 000002
【特許請求の範囲】
【請求項１】
中央領域、及び、前記中央領域を囲む少なくとも２つの環状領域であって、各前記環状領域のディオプターが前記中央領域のディオプターと異なる少なくとも２つの環状領域を含み、シリコーンハイドロゲル又はヒドロゲルから作られる多焦点コンタクトレンズと、
前記多焦点コンタクトレンズが浸される緩衝液と、を備え、
各前記環状領域は傾斜の絶対値を有し、全ての前記傾斜の絶対値の最大値をＳｌｏＰＭａｘとし、全ての前記傾斜の絶対値の最小値をＳｌｏＰＭｉｎとすると、
０＜ＳｌｏＰＭｉｎ／ＳｌｏＰＭａｘ≦０．３１
の条件が満たされる、コンタクトレンズ製品。
【請求項２】
各前記環状領域は最大ディオプターを有し、全ての前記最大ディオプターの最大値をＰｏｗＰＭａｘとし、ディオプターの単位をＤとすると、
０Ｄ≦ＰｏｗＰＭａｘ≦２０Ｄ
の条件が満たされる、請求項１に記載のコンタクトレンズ製品。
【請求項３】
各前記環状領域は最大ディオプターを有し、全ての前記最大ディオプターの最小値をＰｏｗＰＭｉｎとし、ディオプターの単位をＤとすると、
−８Ｄ≦ＰｏｗＰＭｉｎ≦１５Ｄ
の条件が満たされる、請求項１に記載のコンタクトレンズ製品。
【請求項４】
各前記環状領域は最大ディオプターを有し、全ての前記最大ディオプターの最大値をＰｏｗＰＭａｘとし、全ての前記最大ディオプターの最小値をＰｏｗＰＭｉｎとすると、
−８．０≦ＰｏｗＰＭｉｎ／ＰｏｗＰＭａｘ≦１．０
の条件が満たされる、請求項１に記載のコンタクトレンズ製品。
【請求項５】
各前記環状領域は最大ディオプターを有し、全ての前記最大ディオプターの最大値をＰｏｗＰＭａｘとし、前記多焦点コンタクトレンズの前記中央領域のディオプターをＰｏｗＣとすると、
０．１０≦｜ＰｏｗＰＭａｘ−ＰｏｗＣ｜／ＰｏｗＰＭａｘ≦１０
の条件が満たされる、請求項１に記載のコンタクトレンズ製品。
【請求項６】
各前記環状領域は前記傾斜の絶対値を有し、全ての前記傾斜の絶対値の最大値をＳｌｏＰＭａｘとすると、
０．５≦ＳｌｏＰＭａｘ≦２０
の条件が満たされる、請求項１に記載のコンタクトレンズ製品。
【請求項７】
各前記環状領域は前記傾斜の絶対値を有し、全ての前記傾斜の絶対値の最小値をＳｌｏＰＭｉｎとすると、
０≦ＳｌｏＰＭｉｎ≦１０
の条件が満たされる、請求項１に記載のコンタクトレンズ製品。
【請求項８】
前記多焦点コンタクトレンズの周辺に最も近い前記少なくとも２つの環状領域の１つは第１の環状領域であり、
前記多焦点コンタクトレンズの前記中央領域のディオプターをＰｏｗＣとし、前記多焦点コンタクトレンズの前記第１の環状領域の最大ディオプターをＰｏｗＰ１とし、ディオプターの単位をＤとすると、
｜ＰｏｗＣ−ＰｏｗＰ１｜≦２０Ｄ
の条件が満たされる、請求項１に記載のコンタクトレンズ製品。
【請求項９】
前記多焦点コンタクトレンズの各前記環状領域の傾斜をＳｌｏＰとすると、
０≦｜ＳｌｏＰ｜≦２０
の条件が満たされる、請求項１に記載のコンタクトレンズ製品。
【請求項１０】
前記多焦点コンタクトレンズの前記中央領域の傾斜をＳｌｏＣとすると、
０≦｜ＳｌｏＣ｜≦０．１０
の条件が満たされる、請求項１に記載のコンタクトレンズ製品。
【請求項１１】
前記多焦点コンタクトレンズの周辺に最も近い前記少なくとも２つの環状領域の１つは第１の環状領域であり、
前記多焦点コンタクトレンズの前記中央領域の直径をＤｉＣとし、前記多焦点コンタクトレンズの前記第１の環状領域の外径をＤｉＰ１とすると、
０．１５≦ＤｉＣ／ＤｉＰ１＜１
の条件が満たされる、請求項１に記載のコンタクトレンズ製品。
【請求項１２】
前記シリコーンハイドロゲルを製造するための組成は、
ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ、４−（フェニルジアゼニル）フェニルメタクリレート、メチルメタクリレート及びエタノールを含む、請求項１に記載のコンタクトレンズ製品。
【請求項１３】
前記ヒドロゲルを製造するための組成は、
ヒドロキシエチルメタクリレート、４−（フェニルジアゼニル）フェニルメタクリレート、エチレングリコールジメタクリレート、２−ヒドロキシ−２−メチルプロピオフェノン、グリセロール、トリメチロールプロパントリメタクリレート及びメタクリレートを含む、請求項１に記載のコンタクトレンズ製品。
【請求項１４】
前記ヒドロゲルを製造するための組成は、
ヒドロキシエチルメタクリレート、４−（フェニルジアゼニル）フェニルメタクリレート、エチレングリコールジメタクリレート、２−ヒドロキシ−２−メチルプロピオフェノン、グリセロール、トリメチロールプロパントリメタクリレート及びグリセロールモノメタクリレートを含む、請求項１に記載のコンタクトレンズ製品。
【請求項１５】
前記ヒドロゲルを製造するための組成は、
ヒドロキシエチルメタクリレート、４−（フェニルジアゼニル）フェニルメタクリレート、エチレングリコールジメタクリレート、２−ヒドロキシ−２−メチルプロピオフェノン、グリセロール及びＮ−ビニル−２−ピロリドンを含む、請求項１に記載のコンタクトレンズ製品。
【発明の詳細な説明】
【技術分野】
【０００１】
本開示はコンタクトレンズ製品に関する。
【背景技術】
【０００２】
世界保健機関（Ｗｏｒｌｄ  Ｈｅａｌｔｈ  Ｏｒｇａｎｉｚａｔｉｏｎ：ＷＨＯ）のデータによると、世界各国の近視罹患率は８％から６２％である。しかし、調査によれば台湾での１８歳未満の十代の若者及び子供の近視の罹患率は８５％にまで達し、これは他の国々を大幅に超える。１つの理由はおそらく近年の高度に発達した３Ｃ電子装置のためであり、それは幼い子供の眼の時期尚早な不適切な刺激と酷使につながる。現代の研究が示すのは、一旦幼い子供が早期発症型の近視に罹ると、近視の程度が所定の速度で進むことである。現代の研究は更に、近視が起こる年齢が低いほど、強度の近視（６．０Ｄ以上）になる可能性が高いと示す。強度の近視に罹っている人は、例えば網膜剥離や緑内障の深刻な合併症に更に罹る可能性が高い。従って、幼い子供に仮性近視が見られる場合に制御又は緩和する方法を行うことができれば、仮性近視が近視になることを効果的に防ぐことができ、強度の近視が更に防止され得る。
【０００３】
近視の主な原因は眼球の光学構造の変化である。光学像は主に、例えば角膜、水晶体、眼球の長さ等の要因に影響される。通常の人間では、光はその網膜に正確に集められ、明瞭な像を得ることができる。しかし、近視に罹っている人間では、過度のディオプター（屈折性近視）又は過度の眼球の軸方向長さ（軸性近視）のため、光はその網膜の前部に集められ、その結果ぼやけた像が得られる。幼い子供の近視の症状は近視と仮性近視に分類され、近視は過度の眼球の軸方向長さにより起こるもので矯正できない。しかし、仮性近視は毛様筋の過度の緊張による一時的な症状であり、矯正可能である。臨床的に、子供の仮性近視を矯正する多くの方法が存在する。主な方法は、オルソケラトロジーを装着して長時間作用する散瞳薬を付与することを含む。しかし、オルソケラトロジーは高い外圧をもたらし、装着者を不快にする。長時間作用する散瞳薬のみを付与する場合、高濃度の投薬が通常必要となる。従って、薬剤の副作用の可能性も高まる。
【発明の概要】
【発明が解決しようとする課題】
【０００４】
本開示の目的は、近視を防ぐ又は近視の進行を制御可能なコンタクトレンズ製品を提供することにある。
【課題を解決するための手段】
【０００５】
本開示の１つの態様によると、コンタクトレンズ製品は、多焦点コンタクトレンズと、多焦点コンタクトレンズが浸される緩衝液１２０と、を備える。多焦点コンタクトレンズは、中央領域、及び、中央領域を囲む少なくとも２つの環状領域であって、各環状領域のディオプターが中央領域のディオプターとは異なる少なくとも２つの環状領域を含む。多焦点コンタクトレンズは、シリコーンハイドロゲル又はヒドロゲルから作られる。
各環状領域は傾斜の絶対値を有し、全ての傾斜の絶対値の最大値をＳｌｏＰＭａｘとし、全ての傾斜の絶対値の最小値をＳｌｏＰＭｉｎとすると、
０＜ＳｌｏＰＭｉｎ／ＳｌｏＰＭａｘ≦０．３１
の条件が満たされる。
【０００６】
本開示は以下の様な添付の図面を参照し、以下の実施形態の詳細な説明を読むことでより完全に理解され得る。図５等における「ｒａｄｉｕｓ」及び「ｄｉｏｐｔｅｒ」の日本語訳は、それぞれ「半径」及び「ディオプター」である。
【図面の簡単な説明】
【０００７】
【図１】本開示の一実施形態によるコンタクトレンズ製品の概略図である。
【図２】図１の多焦点コンタクトレンズの概略平面図である。
【図３】本開示の他の実施形態による多焦点コンタクトレンズの概略平面図である。
【図４】本開示の更に他の実施形態による多焦点コンタクトレンズの概略平面図である。
【図５】第１の実施例の多焦点コンタクトレンズの半径とディオプターの関係を示す図である。
【図６】第２の実施例の多焦点コンタクトレンズの半径とディオプターの関係を示す図である。
【図７】第２の実施例の多焦点コンタクトレンズ及び第１の比較例の多焦点コンタクトレンズの波長と透過率との関係を示す図である。
【図８】第３の実施例の多焦点コンタクトレンズの半径とディオプターの関係を示す図である。
【図９】第４の実施例の多焦点コンタクトレンズの半径とディオプターの関係を示す図である。
【図１０】第４の実施例の多焦点コンタクトレンズ及び第２の比較例の多焦点コンタクトレンズの波長と透過率との関係を示す図である。
【図１１】第５の実施例の多焦点コンタクトレンズの半径とディオプターの関係を示す図である。
【図１２】第６の実施例の多焦点コンタクトレンズの半径とディオプターの関係を示す図である。
【図１３】第７の実施例の多焦点コンタクトレンズの半径とディオプターの関係を示す図である。
【図１４】第７の実施例の多焦点コンタクトレンズ及び第３の比較例の多焦点コンタクトレンズの波長と透過率との関係を示す図である。
【図１５】第８の実施例の多焦点コンタクトレンズの半径とディオプターの関係を示す図である。
【図１６】第９の実施例の多焦点コンタクトレンズの半径とディオプターの関係を示す図である。
【図１７】第１０の実施例の多焦点コンタクトレンズの半径とディオプターの関係を示す図である。
【図１８】第１１の実施例の多焦点コンタクトレンズの半径とディオプターの関係を示す図である。
【図１９】第１１の実施例の多焦点コンタクトレンズ及び第４の比較例の多焦点コンタクトレンズの波長と透過率との関係を示す図である。
【図２０】第１２の実施例の多焦点コンタクトレンズの半径とディオプターの関係を示す図である。
【図２１】第１２の実施例の多焦点コンタクトレンズ及び第５の比較例の多焦点コンタクトレンズの波長と透過率との関係を示す図である。
【図２２】本開示の更に他の実施形態による多焦点コンタクトレンズの概略平面図である。
【図２３】本開示の更に他の実施形態による多焦点コンタクトレンズの概略平面図である。
【図２４】第１３の実施例の多焦点コンタクトレンズの半径とディオプターの関係を示す図である。
【図２５】第１４の実施例の多焦点コンタクトレンズの半径とディオプターの関係を示す図である。
【図２６】第１５の実施例の多焦点コンタクトレンズの半径とディオプターの関係を示す図である。
【図２７】第１６の実施例の多焦点コンタクトレンズの半径とディオプターの関係を示す図である。
【図２８】第１７の実施例の多焦点コンタクトレンズの半径とディオプターの関係を示す図である。
【図２９】第１８の実施例の多焦点コンタクトレンズの半径とディオプターの関係を示す図である。
【図３０】第１９の実施例の多焦点コンタクトレンズの半径とディオプターの関係を示す図である。
【図３１】第２０の実施例の多焦点コンタクトレンズの半径とディオプターの関係を示す図である。
【図３２】第２１の実施例の多焦点コンタクトレンズの半径とディオプターの関係を示す図である。
【図３３】第２２の実施例の多焦点コンタクトレンズの半径とディオプターの関係を示す図である。
【図３４】第２３の実施例の多焦点コンタクトレンズの半径とディオプターの関係を示す図である。
【図３５】第２４の実施例の多焦点コンタクトレンズの半径とディオプターの関係を示す図である。
【発明を実施するための形態】
【０００８】
図１は本開示の一実施形態によるコンタクトレンズ製品１００の概略図である。コンタクトレンズ１００は多焦点コンタクトレンズ１１０と緩衝液１２０を含む。多焦点コンタクトレンズ１１０は緩衝液１２０に浸される。
【０００９】
図２は図１の多焦点コンタクトレンズ１１０の概略平面図である。多焦点コンタクトレンズ１１０は中央領域１１１と第１の環状領域１１２を含む。第１の環状領域１１２は中央領域１１１を同心円状に囲む。第１の環状領域１１２のディオプターは中央領域１１１のディオプターと異なる。従って、多焦点コンタクトレンズ１１０はマルチフォーカス機能の特徴を有し、周囲の像は網膜の前部に形成され得、それが眼球の軸方向の長さの増加を緩和でき、近視の悪化を防止する。本開示の一実施例によると、中央領域１１１のディオプターは固定される。
【００１０】
多焦点コンタクトレンズ１１０の中央領域１１１及び第１の環状領域１１２の少なくとも一つは非球面である。従って、段階的なディオプターを有する第１の環状領域１１２を設計することが望ましい。
【００１１】
図１を再び参照し、緩衝液１２０は毛様体筋麻痺剤を含む。緩衝液１２０内の毛様体筋麻痺剤の重量パーセント濃度がＣｏｎＡである時、
０＜ＣｏｎＡ≦１％
の条件が満たされる。従って、毛様体筋麻痺剤の濃度は適切であり、これは毛様筋をリラックスさせ薬の副作用の可能性を減らすのに好ましい。
或いは、０＜ＣｏｎＡ≦０．５％の条件が満たされても良い。
或いは、０＜ＣｏｎＡ≦０．２５％の条件が満たされても良い。
或いは、０＜ＣｏｎＡ≦０．１％の条件が満たされても良い。
或いは、０＜ＣｏｎＡ≦０．０５％の条件が満たされても良い。
或いは、０＜ＣｏｎＡ≦０．０１％の条件が満たされても良い。
緩衝液１２０はコンタクトレンズを浸して保存する商業的に入手可能な溶液である塩基性溶液を供給することにより調整され得る。その後、毛様体筋麻痺剤は塩基性溶液の中に必要な濃度まで追加され、塩基性溶液と毛様体筋麻痺剤の間に化学反応は起こらない。
【００１２】
上述のコンタクトレンズ製品１００によると、多焦点コンタクトレンズ１１０を製造するための組成は青色光遮断薬を含み得る。従って、多焦点コンタクトレンズ１１０は高エネルギーの青色光をブロックでき、青色光による網膜の損傷の可能性が減少され得る。本開示の一実施例によると、青色光遮断薬は４−（フェニルジアゼニル）フェニルメタクリレート（４−（ｐｈｅｎｙｌｄｉａｚｅｎｙｌ）ｐｈｅｎｙｌ  ｍｅｔｈａｃｒｙｌａｔｅ）であっても良い。
【００１３】
上述のコンタクトレンズ製品１００によると、多焦点コンタクトレンズ１１０を製造するための組成はＵＶ（紫外線）遮断薬を含んでも良い。
ＵＶ遮断薬は、これに限らないが、２−［３−（２Ｈ−ベンゾトリアゾール−２−イル）−４−ヒドロキシフェニル］エチル２−メタクリレート（２−［３−（２Ｈ−ｂｅｎｚｏｔｒｉａｚｏｌ−２−ｙｌ）−４−ｈｙｄｒｏｘｙｐｈｅｎｙｌ］ｅｔｈｙｌ  ｍｅｔｈａｃｒｙｌａｔｅ）、４−メタクリロキシ−２−ヒドロキシベンゾフェノン（４−ｍｅｔｈａｃｒｙｌｏｘｙ−２−ｈｙｄｒｏｘｙｂｅｎｚｏｐｈｅｎｏｎｅ）、２−フェニルエチルアクリレート（２−ｐｈｅｎｙｌｅｔｈｙｌ  ａｃｒｙｌａｔｅ）、２−フェニルエチルメタクリレート（２−ｐｈｅｎｙｌｅｔｈｙｌ  ｍｅｔｈａｃｒｙｌａｔｅ）、２−［２−ヒドロキシ−５−［２−（メタクリロキシ）エチル］フェニル］−２Ｈ−ベンゾトリアゾール（２−（２’−ｈｙｄｒｏｘｙ−５’−ｍｅｔｈａｃｒｙｌｏｘｙｅｔｈｙｌｐｈｅｎｙｌ）−２Ｈ−ｂｅｎｚｏｔｒｉａｚｏｌｅ）又は２−（４−ベンゾイル−３−ヒドロキシフェノキシ）エチルアクリレート（２−（４−ｂｅｎｚｏｙｌ−３−ｈｙｄｒｏｘｙｐｈｅｎｏｘｙ）ｅｔｈｙｌ  ａｃｒｙｌａｔｅ）であっても良い。
従って、多焦点コンタクトレンズ１１０は高エネルギーの紫外線をブロックでき、紫外線による網膜の損傷の可能性が減少され得る。本開示の一実施例によると、ＵＶ遮断薬は２−［２−ヒドロキシ−５−［２−（メタクリロキシ）エチル］フェニル］−２Ｈ−ベンゾトリアゾール（２−（２’−ｈｙｄｒｏｘｙ−５’−ｍｅｔｈａｃｒｙｌｏｘｙｅｔｈｙｌｐｈｅｎｙｌ）−２Ｈ−ｂｅｎｚｏｔｒｉａｚｏｌｅ）であっても良い。本開示の他の実施例によると、ＵＶ遮断薬は２−（４−ベンゾイル−３−ヒドロキシフェノキシ）エチルアクリレート（２−（４−ｂｅｎｚｏｙｌ−３−ｈｙｄｒｏｘｙｐｈｅｎｏｘｙ）ｅｔｈｙｌ  ａｃｒｙｌａｔｅ）であっても良い。上述のＵＶ遮断薬は同時でも、別々でも使用され得る。
【００１４】
上述のコンタクトレンズ製品１００によると、多焦点コンタクトレンズ１１０はシリコーンハイドロゲル（ｓｉｌｉｃｏｎｅ  ｈｙｄｒｏｇｅｌ）から作られても良い。従って、多焦点コンタクトレンズ１１０の酸素透過性は高められ得、例えば角膜の低酸素症により生じる赤目、充血及び膨張等の現象が防止され得る。従って、長時間装着の快適さが提供され得る。
【００１５】
シリコーンハイドロゲルは、これに限らないが、例えばバラフィルコンＡ（Ｂａｌａｆｉｌｃｏｎ  Ａ）、コムフィルコンＡ（Ｃｏｍｆｉｌｃｏｎ  Ａ）、エフロフィルコンＡ（Ｅｆｒｏｆｉｌｃｏｎ  Ａ）、エンフィルコンＡ（Ｅｎｆｉｌｃｏｎ  Ａ）、ガリフィルコンＡ（Ｇａｌｙｆｉｌｃｏｎ  Ａ）、ロトラフィルコンＡ（Ｌｏｔｒａｆｉｌｃｏｎ  Ａ）、ロトラフィルコンＢ（Ｌｏｔｒａｆｉｌｃｏｎ  Ｂ）、ナラフィルコンＡ（Ｎａｒａｆｉｌｃｏｎ  Ａ）、ナラフィルコンＢ（Ｎａｒａｆｉｌｃｏｎ  Ｂ）、セノフィルコンＡ（Ｓｅｎｏｆｉｌｃｏｎ  Ａ）、デレフィルコンＡ（Ｄｅｌｅｆｉｌｃｏｎ  Ａ）及びセノフィルコンＡ（Ｓｏｍｏｆｉｌｃｏｎ  Ａ）等の、米国食品医薬品局（Ｆｏｏｄ  ａｎｄ  Ｄｒｕｇ  Ａｄｍｉｎｉｓｔｒａｔｉｏｎ：ＵＳＦＤＡ）により第５群に分類されるコンタクトレンズ材料であっても良い。
【００１６】
シリコーンハイドロゲルを製造するための組成は、ヒドロキシエチルメタクリレート（２−ｈｙｄｒｏｘｙｅｔｈｙｌ  ｍｅｔｈａｃｒｙｌａｔｅ）、３−メタクリロキシプロピルトリス（トリメチルシリルオキシ）シラン（３−ｍｅｔｈａｃｒｙｌｏｙｌｏｘｙｐｒｏｐｙｌｔｒｉｓ（ｔｒｉｍｅｔｈｙｌｓｉｌｙｌｏｘｙ）ｓｉｌａｎｅ）、２−ヒドロキシ−２−メチル−プロピオフェノン（２−ｈｙｄｒｏｘｙ−２−ｍｅｔｈｙｌ−ｐｒｏｐｉｏｐｈｅｎｏｎｅ）、Ｎ−ビニル−２−ピロリドン（Ｎ−ｖｉｎｙｌ−２−ｐｙｒｒｏｌｉｄｉｎｏｎｅ）、Ｎ，Ｎ−ジメチルアクリルアミド（Ｎ，Ｎ−ｄｉｍｅｔｈｙｌ  ａｃｒｙｌａｍｉｄｅ）、エチレングリコールジメタクリレート（ｅｔｈｙｌｅｎｅ  ｇｌｙｃｏｌ  ｄｉｍｅｔｈａｃｒｙｌａｔｅ）、（３−メタクリロキシ−２−ヒドロキシプロポキシ）プロピルビス（トリメチルシロキシ）メチルシラン（３−（３−ｍｅｔｈａｃｒｙｌｏｘｙ−２−ｈｙｄｒｏｘｙｐｒｏｐｏｘｙ）ｐｒｏｐｙｌｂｉｓ（ｔｒｉｍｅｔｈｙｌｓｉｌｏｘｙ）ｍｅｔｈｙｌｓｉｌａｎｅ）、イソプロピルアルコール（ｉｓｏｐｒｏｐｙｌ  ａｌｃｏｈｏｌ）及びメタクリレート（ｍｅｔｈａｃｒｙｌｉｃ  ａｃｉｄ）を含み得る。
【００１７】
好ましくは、シリコーンハイドロゲルを製造するための組成の成分の重量パーセント濃度は以下のようであっても良い。
ヒドロキシエチルメタクリレートの重量パーセント濃度は０．０５％から２５％、３−メタクリロキシプロピルトリス（トリメチルシリルオキシ）シランの重量パーセント濃度は０．１％から４０％、２−ヒドロキシ−２−メチル−プロピオフェノンの重量パーセント濃度は０．０１％から５％、Ｎ−ビニル−２−ピロリドンの重量パーセント濃度は０．１％から３５％、Ｎ，Ｎ−ジメチルアクリルアミドの重量パーセント濃度は０．１％から４０％、エチレングリコールジメタクリレートの重量パーセント濃度は０．０１％から５％、（３−メタクリロキシ−２−ヒドロキシプロポキシ）プロピルビス（トリメチルシロキシ）メチルシランの重量パーセント濃度は０．１％から３０％、イソピロピルアルコールの重量パーセント濃度は０．１％から３０％、メタクリレートの重量パーセント濃度は０．０１％から５％である。
【００１８】
より好ましくは、シリコーンハイドロゲルを製造するための組成の成分の重量パーセント濃度は以下のようであっても良い。
ヒドロキシエチルメタクリレートの重量パーセント濃度は０．１％から１０％、３−メタクリロキシプロピルトリス（トリメチルシリルオキシ）シランの重量パーセント濃度は１％から４０％、２−ヒドロキシ−２−メチル−プロピオフェノンの重量パーセント濃度は０．１％から２％、Ｎ−ビニル−２−ピロリドンの重量パーセント濃度は１％から３５％、Ｎ，Ｎ−ジメチルアクリルアミドの重量パーセント濃度は１％から２０％、エチレングリコールジメタクリレートの重量パーセント濃度は０．１％から２％、（３−メタクリロキシ−２−ヒドロキシプロポキシ）プロピルビス（トリメチルシロキシ）メチルシランの重量パーセント濃度は１％から３０％、イソピロピルアルコールの重量パーセント濃度は１％から２０％、メタクリレートの重量パーセント濃度は０．１％から２％である。
【００１９】
シリコーンハイドロゲルを製造するための組成は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、エチレングリコールジメタクリレート、３−アクリルオキシ−２−ヒドロキシプロポキシプロピル基封鎖のポリジメチルシロキサン（（３−ａｃｒｙｌｏｘｙ−２−ｈｙｄｒｏｘｙｐｒｏｐｏｘｙｐｒｏｐｙｌ）ｔｅｒｍｉｎａｔｅｄ  ｐｏｌｙｄｉｍｅｔｈｙｌｓｉｌｏｘａｎｅ）及び１−ヘキサノール（１−ｈｅｘａｎｏｌ）を含み得る。
【００２０】
好ましくは、シリコーンハイドロゲルを製造するための組成の成分の重量パーセント濃度は以下のようであっても良い。
ヒドロキシエチルメタクリレートの重量パーセント濃度は０．０５％から２５％、３−メタクリロキシプロピルトリス（トリメチルシリルオキシ）シランの重量パーセント濃度は０．１％から４０％、２−ヒドロキシ−２−メチル−プロピオフェノンの重量パーセント濃度は０．０１％から５％、Ｎ−ビニル−２−ピロリドンの重量パーセント濃度は０．１％から３５％、Ｎ，Ｎ−ジメチルアクリルアミドの重量パーセント濃度は０．１％から４０％、エチレングリコールジメタクリレートの重量パーセント濃度は０．０１％から５％、３−アクリルオキシ−２−ヒドロキシプロポキシプロピル基封鎖のポリジメチルシロキサンの重量パーセント濃度は０．１％から４０％及び１−ヘキサノールの重量パーセント濃度は０．１％から３０％である。
【００２１】
より好ましくは、シリコーンハイドロゲルを製造するための組成の成分の重量パーセント濃度は以下のようであっても良い。
ヒドロキシエチルメタクリレートの重量パーセント濃度は０．１％から１０％、３−メタクリロキシプロピルトリス（トリメチルシリルオキシ）シランの重量パーセント濃度は１％から４０％、２−ヒドロキシ−２−メチル−プロピオフェノンの重量パーセント濃度は０．１％から２％、Ｎ−ビニル−２−ピロリドンの重量パーセント濃度は１％から３５％、Ｎ，Ｎ−ジメチルアクリルアミドの重量パーセント濃度は１％から２０％、エチレングリコールジメタクリレートの重量パーセント濃度は０．１％から２％、３−アクリルオキシ−２−ヒドロキシプロポキシプロピル基封鎖のポリジメチルシロキサンの重量パーセント濃度は１％から４０％及び１−ヘキサノールの重量パーセント濃度は１％から３０％である。
【００２２】
シリコーンハイドロゲルを製造するための組成は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ（ｐｏｌｙｓｉｌｏｘａｎｅ  ｍａｃｒｏｍｅｒ）、メチルメタクレリート（ｍｅｔｈｙｌ  ｍｅｔｈａｃｒｙｌａｔｅ）及びエタノール（ｅｔｈａｎｏｌ）を含み得る。
【００２３】
好ましくは、シリコーンハイドロゲルを製造するための組成の成分の重量パーセント濃度は以下のようであっても良い。
ヒドロキシエチルメタクリレートの重量パーセント濃度は０．０５％から２５％、３−メタクリロキシプロピルトリス（トリメチルシリルオキシ）シランの重量パーセント濃度は０．１％から４０％、２−ヒドロキシ−２−メチル−プロピオフェノンの重量パーセント濃度は０．０１％から５％、Ｎ−ビニル−２−ピロリドンの重量パーセント濃度は０．１％から３５％、Ｎ，Ｎ−ジメチルアクリルアミドの重量パーセント濃度は０．１％から４０％、ジメチルシロキサン変性ポリシロキサンマクロマの重量パーセント濃度は０．１％から４０％、メチルメタクリレートの重量パーセント濃度は０．１％から２０％及びエタノールの重量パーセント濃度は０．１％から３０％である。
【００２４】
より好ましくは、シリコーンハイドロゲルを製造するための組成の成分の重量パーセント濃度は以下のようであっても良い。
ヒドロキシエチルメタクリレートの重量パーセント濃度は０．１％から１０％、３−メタクリロキシプロピルトリス（トリメチルシリルオキシ）シランの重量パーセント濃度は１％から４０％、２−ヒドロキシ−２−メチル−プロピオフェノンの重量パーセント濃度は０．１％から２％、Ｎ−ビニル−２−ピロリドンの重量パーセント濃度は１％から３５％、Ｎ，Ｎ−ジメチルアクリルアミドの重量パーセント濃度は１％から２０％、ジメチルシロキサン変性ポリシロキサンマクロマの重量パーセント濃度は１％から４０％、メチルメタクリレートの重量パーセント濃度は１％から１０％及びエタノールの重量パーセント濃度は１％から２０％である。
【００２５】
本開示の一実施例によると、シリコーンハイドロゲルを製造するための組成は更に青色光遮断薬又はＵＶ遮断薬を含み得る。好ましくは、シリコーンハイドロゲルを製造するための組成の青色光遮断薬又はＵＶ遮断薬の重量パーセント濃度は０．０１％から１０％である。より好ましくは、シリコーンハイドロゲルの組成を製造する青色光遮断薬又はＵＶ遮断薬の重量パーセント濃度は０．１％から５％である。
【００２６】
シリコーンハイドロゲルを製造するための組成の成分の割合を調節することにより、多焦点コンタクトレンズ１１０の酸素透過性及び硬度が効果的に高められ得る。更に、シリコーンハイドロゲルを製造するための組成は、実際の要求に従って他の成分を選択的に含み得る。
【００２７】
上述のコンタクトレンズ製品１００によると、多焦点コンタクトレンズ１１０はヒドロゲル（ｈｙｄｒｏｇｅｌ）から作られても良い。従って、多焦点コンタクトレンズ１１０の湿潤感、スムーズ感及び柔軟性が維持でき、長時間の装着ができる。更に、多焦点コンタクトレンズ１１０を装着する時の異物感が回避され得る。
【００２８】
ヒドロゲルは、これに限らないが、米国食品医薬品局により第１群に分類されるコンタクトレンズ材料、即ち、例えばヘルフィルコンＡ＆Ｂ（Ｈｅｌｆｉｌｃｏｎ  Ａ＆Ｂ）、ヒオキシフィルコンＢ（Ｈｉｏｘｉｆｉｌｃｏｎ  Ｂ）、マフィルコン（Ｍａｆｉｌｃｏｎ）、ポリマコン（Ｐｏｌｙｍａｃｏｎ）、テフィルコン（Ｔｅｆｉｌｃｏｎ）及びテトラフィルコンＡ（Ｔｅｔｒａｆｉｌｃｏｎ  Ａ）等の低い水分含有量（５０重量％未満）を有する非イオン性重合体（ｎｏｎｉｏｎｉｃ  ｐｏｌｙｍｅｒ）であっても良い。
【００２９】
或いは、ヒドロゲルは、これに限らないが、米国食品医薬品局により第２群に分類されるコンタクトレンズ材料、即ち、例えばアコフィルコンＡ（Ａｃｏｆｉｌｃｏｎ  Ａ）、アルファフィルコンＡ（Ａｌｆａｆｉｌｃｏｎ  Ａ）、ヒラフィルコンＢ（Ｈｉｌａｆｉｌｃｏｎ  Ｂ）、ヒオキシフィルコンＡ（Ｈｉｏｘｉｆｉｌｃｏｎ  Ａ）、ヒオキシフィルコンＢ（Ｈｉｏｘｉｆｉｌｃｏｎ  Ｂ）、ヒオキシフィルコンＤ（Ｈｉｏｘｉｆｉｌｃｏｎ  Ｄ）、ネルフィルコンＡ（Ｎｅｌｆｉｌｃｏｎ  Ａ）、ネソフィルコンＡ（Ｎｅｓｏｆｉｌｃｏｎ  Ａ）、オマフィルコンＡ（Ｏｍａｆｉｌｃｏｎ  Ａ）及びサムフィルコンＡ（Ｓａｍｆｉｌｃｏｎ  Ａ）等の高い水分含有量（５０重量％より多い）を有する非イオン性重合体であっても良い。
【００３０】
或いは、ヒドロゲルは、これに限らないが、米国食品医薬品局により第３群に分類されるコンタクトレンズ材料、即ち、例えばデルタフィルコンＡ（Ｄｅｌｔａｆｉｌｃｏｎ  Ａ）等の低い水分含有量（５０重量％未満）を有するイオン重合体（ｉｏｎｉｃ  ｐｏｌｙｍｅｒ）であっても良い。
【００３１】
或いは、ヒドロゲルは、これに限らないが、米国食品医薬品局により第４群に分類されるコンタクトレンズ材料、即ち、例えばエタフィルコンＡ（Ｅｔａｆｉｌｃｏｎ  Ａ）、フォコフィルコンＡ（Ｆｏｃｏｆｉｌｃｏｎ  Ａ）、メタフィルコンＡ（Ｍｅｔｈａｆｉｌｃｏｎ  Ａ）、メタフィルコンＢ（Ｍｅｔｈａｆｉｌｃｏｎ  Ｂ）、オキュフィルコンＡ（Ｏｃｕｆｉｌｃｏｎ  Ａ）、オキュフィルコンＢ（Ｏｃｕｆｉｌｃｏｎ  Ｂ）、オキュフィルコンＣ（Ｏｃｕｆｉｌｃｏｎ  Ｃ）、オキュフィルコンＤ（Ｏｃｕｆｉｌｃｏｎ  Ｄ）、オキュフィルコンＥ（Ｏｃｕｆｉｌｃｏｎ  Ｅ）、フェムフィルコンＡ（Ｐｈｅｍｆｉｌｃｏｎ  Ａ）及びビフィルコンＡ（Ｖｉｆｉｌｃｏｎ  Ａ）等の高い水分含有量（５０重量％より多い）を有するイオン重合体であっても良い。
【００３２】
ヒドロゲルを製造するための組成はヒドロキシエチルメタクリレート、エチレングリコールジメタクリレート、２−ヒドロキシ−２−メチル−プロピオフェノン、グリセロール（ｇｌｙｃｅｒｏｌ）、トリメチロールプロパントリメタクリレート（１，１，１−ｔｒｉｍｅｔｈｙｌｏｌ  ｐｒｏｐａｎｅ  ｔｒｉｍｅｔｈａｃｒｙｌａｔｅ）及びメタクリレートを含み得る。
【００３３】
好ましくは、ヒドロゲルを製造するための組成の成分の重量パーセント濃度は以下のようであっても良い。
ヒドロキシエチルメタクリレートの重量パーセント濃度は１０％から９６％、エチレングリコールジメタクリレートの重量パーセント濃度は０．０１％から５％、２−ヒドロキシ−２−メチル−プロピオフェノンの重量パーセント濃度は０．０１％から５％、グリセロールの重量パーセント濃度は０．１％から３０％、トリメチロールプロパントリメタクリレートの重量パーセント濃度は０．０１％から５％及びメタクリレートの重量パーセント濃度は０．０１％から５％である。
【００３４】
より好ましくは、ヒドロゲルを製造するための組成の成分の重量パーセント濃度は以下のようであっても良い。
ヒドロキシエチルメタクリレートの重量パーセント濃度は４０％から９６％、エチレングリコールジメタクリレートの重量パーセント濃度は０．１％から２％、２−ヒドロキシ−２−メチル−プロピオフェノンの重量パーセント濃度は０．１％から２％、グリセロールの重量パーセント濃度は０．１％から２０％、トリメチロールプロパントリメタクリレートの重量パーセント濃度は０．１％から２％及びメタクリレートの重量パーセント濃度は０．１％から２％である。
【００３５】
ヒドロゲルを製造するための組成はヒドロキシエチルメタクリレート、エチレングリコールジメタクリレート、２−ヒドロキシ−２−メチル−プロピオフェノン、グリセロール、トリメチロールプロパントリメタクリレート及びグリセロールモノメタクリレート（ｇｌｙｃｅｒｏｌ  ｍｏｎｏｍｅｔｈａｃｒｙｌａｔｅ）を含み得る。
【００３６】
好ましくは、ヒドロゲルを製造するための成分の原料の重量パーセント濃度は以下のようであっても良い。
ヒドロキシエチルメタクリレートの重量パーセント濃度は１０％から９４．８７％、エチレングリコールジメタクリレートの重量パーセント濃度は０．０１％から５％、２−ヒドロキシ−２−メチル−プロピオフェノンの重量パーセント濃度は０．０１％から５％、グリセロールの重量パーセント濃度は０．１％から３０％、トリメチロールプロパントリメタクリレートの重量パーセント濃度は０．０１％から５％及びグリセロールモノメタクリレートの重量パーセント濃度は５％から６０％である。
【００３７】
より好ましくは、ヒドロゲルを製造するための組成の成分の重量パーセント濃度は以下のようであっても良い。
ヒドロキシエチルメタクリレートの重量パーセント濃度は４０％から７９．６％、エチレングリコールジメタクリレートの重量パーセント濃度は０．１％から２％、２−ヒドロキシ−２−メチルプロピオフェノンの重量パーセント濃度は０．１％から２％、グリセロールの重量パーセント濃度は０．１％から２０％、トリメチロールプロパントリメタクリレートの重量パーセント濃度は０．１％から２％及びグリセロールモノメタクリレートの重量パーセント濃度は２０％から５０％である。
【００３８】
ヒドロゲルを製造するための組成はヒドロキシエチルメタクリレート、エチレングリコールジメタクリレート、２−ヒドロキシ−２−メチルプロピオフェノン、グリセロール及びＮ−ビニル−２−ピロリドンを含み得る。
【００３９】
好ましくは、ヒドロゲルを製造するための組成の成分の重量パーセント濃度は以下のようであっても良い。
ヒドロキシエチルメタクリレートの重量パーセント濃度は１０％から９６％、エチレングリコールジメタクリレートの重量パーセント濃度は０．０１％から５％、２−ヒドロキシ−２−メチルプロピオフェノンの重量パーセント濃度は０．０１％から５％、グリセロールの重量パーセント濃度は０．１％から３０％及びＮ−ビニル−２−ピロリドンの重量パーセント濃度は０．１％から２５％である。
【００４０】
より好ましくは、ヒドロゲルを製造するための組成の成分の重量パーセント濃度は以下のようであっても良い。
ヒドロキシエチルメタクリレートの重量パーセント濃度は４０％から９６％、エチレングリコールジメタクリレートの重量パーセント濃度は０．１％から２％、２−ヒドロキシ−２−メチルプロピオフェノンの重量パーセント濃度は０．１％から２％、グリセロールの重量パーセント濃度は１％から２０％及びＮ−ビニル−２−ピロリドンの重量パーセント濃度は０．１％から１０％である。
【００４１】
本開示の一実施例によると、ヒドロゲルを製造するための組成は更に青色光遮断薬又はＵＶ遮断薬を含み得る。好ましくは、ヒドロゲルを製造するための組成の青色光遮断薬又はＵＶ遮断薬の重量パーセント濃度は０．０１％から１０％である。より好ましくは、ヒドロゲルの組成を製造するための青色光遮断薬又はＵＶ遮断薬の重量パーセント濃度は０．１％から５％である。
【００４２】
ヒドロゲルを製造するための組成の成分の割合を調節することにより、多焦点コンタクトレンズ１１０の水分含有量及び柔軟性が効果的に高められ得る。更に、ヒドロゲルを製造するための組成は、実際の要求に従って他の材料を選択的に含み得る。例えばヒドロキシエチルメタクリレート、メタクリレート、グリセロールモノメタクリレート、Ｎ−ビニル−２−ピロリドン、３−メタクリロキシプロピルトリス（トリメチルシリルオキシ）シラン、Ｎ，Ｎ−ジメチルアクリルアミド、（３−メタクリロキシ−２−ヒドロキシプロポキシ）プロピルビス（トリメチルシロキシ）メチルシラン、３−アクリルオキシ−２−ヒドロキシプロポキシプロピル基封鎖のポリジメチルシロキサン及びメチルメタクリレート等の、ヒドロゲルを製造するための組成で使用されるモノマーと、シリコーンハイドロゲルの組成で使用されるモノマーは実際の要求に従って交換されても良い。
【００４３】
図２を参照し、多焦点コンタクトレンズ１１０の中央領域の直径がＤｉＣである時、
４ｍｍ≦ＤｉＣ≦１０ｍｍ
の条件が満たされ得る。従って、直径は異なる生理的状態の瞳の大きさに従って柔軟に調節でき、その結果中央領域１１１により提供される近視矯正の正確性が高められ得、視力が網膜に完全に且つ明瞭に集中され得る。
好ましくは、５ｍｍ≦ＤｉＣ≦９ｍｍの条件が満たされ得る。
多焦点コンタクトレンズ１１０の第１の環状領域１１２の外径がＤｉＰ１である時、
６ｍｍ≦ＤｉＰ１≦１７ｍｍ
の条件が満たされ得る。従って、外径は瞼裂の大きさに従って柔軟に調節でき、その結果多焦点コンタクトレンズ１１０の適切な快適さ及び適合性が提供され、多焦点コンタクトレンズ１１０の装着安定性が高められ得る。
好ましくは７ｍｍ≦ＤｉＰ１≦１５ｍｍの条件が満たされ得る。
【００４４】
多焦点コンタクトレンズ１１０の中央領域１１１の直径がＤｉＣであり、多焦点コンタクトレンズ１１０の第１の環状領域１１２の外径がＤｉＰ１である時、
０．１５≦ＤｉＣ／ＤｉＰ１＜１
の条件が満たされ得る。従って、ＤｉＣ／ＤｉＰ１の値が適切であり、それは個々の眼球の生理的状態に従った多焦点コンタクトレンズ１１０を設計するのに好ましい。従って、近視を矯正するのに好ましい。
【００４５】
多焦点コンタクトレンズ１１０の中央領域１１１のディオプターがＰｏｗＣである時、
−６．００Ｄ≦ＰｏｗＣ≦−０．２５Ｄ
の条件が満たされ得る。従って、ユーザの要望に従って適切な近視矯正が提供され得る。そのため、明瞭な像が提供され得る。
【００４６】
多焦点コンタクトレンズ１１０の第１の環状領域１１２の最大ディオプターがＰｏｗＰ１である時、
−５．５０Ｄ≦ＰｏｗＰ１≦−０．５０Ｄ
の条件が満たされ得る。従って、第１の環状領域１１２の最大ディオプターが適切に設計され、それは近視を矯正するのに好ましい。
【００４７】
多焦点コンタクトレンズ１１０の中央領域１１１のディオプターがＰｏｗＣであり、多焦点コンタクトレンズ１１０の第１の環状領域１１２の最大ディオプターがＰｏｗＰ１である時、
｜ＰｏｗＣ−ＰｏｗＰ１｜≦２０Ｄ
の条件が満たされる。従って、近視を矯正するのに好ましい。更に、第１の環状領域１１２のディオプターの程度の増加が緩和され、その結果ディオプターの過度に増加した程度から生じる不快感が回避され得る。
或いは、｜ＰｏｗＣ−ＰｏｗＰ１｜≦１２Ｄの条件が満たされても良い。
或いは、｜ＰｏｗＣ−ＰｏｗＰ１｜≦１０Ｄの条件が満たされても良い。
或いは、｜ＰｏｗＣ−ＰｏｗＰ１｜≦５Ｄの条件が満たされても良い。
或いは、｜ＰｏｗＣ−ＰｏｗＰ１｜≦３Ｄの条件が満たされても良い。
或いは、｜ＰｏｗＣ−ＰｏｗＰ１｜≦２Ｄの条件が満たされても良い。
或いは、｜ＰｏｗＣ−ＰｏｗＰ１｜≦１．５Ｄの条件が満たされても良い。
或いは、｜ＰｏｗＣ−ＰｏｗＰ１｜≦１Ｄの条件が満たされても良い。
或いは、｜ＰｏｗＣ−ＰｏｗＰ１｜≦０．５Ｄの条件が満たされても良い。
或いは、｜ＰｏｗＣ−ＰｏｗＰ１｜≦０．２５Ｄの条件が満たされても良い。
【００４８】
環状領域（１１２）のそれぞれは最大ディオプターを含み、全ての最大ディオプターの最大値がＰｏｗＰＭａｘである時、
０Ｄ≦ＰｏｗＰＭａｘ≦２０Ｄ
の条件が満たされ得る。従って、環状領域（１１２）のディオプター分布は近視を制御するためのユーザの状態に従って設計され得る。ディオプターがより強度であると、視界制御の矯正効果は高められ得る。更に、ディオプターは異なる治療期間において及び異なる状態に従い調節できる。
或いは、０Ｄ≦ＰｏｗＰＭａｘ≦１８Ｄの条件が満たされても良い。
或いは、０．５Ｄ≦ＰｏｗＰＭａｘ≦１６Ｄの条件が満たされても良い。
或いは、１．０Ｄ≦ＰｏｗＰＭａｘ≦１５Ｄの条件が満たされても良い。
或いは、２．０Ｄ≦ＰｏｗＰＭａｘ≦１０Ｄの条件が満たされても良い。
【００４９】
環状領域（１１２）のそれぞれは最大ディオプターを含み、全ての最大ディオプターの最小値がＰｏｗＰＭｉｎである時、
−８Ｄ≦ＰｏｗＰＭｉｎ≦１５Ｄ
の条件が満たされ得る。従って、環状領域（１１２）のディオプター分布は近視を制御するためのユーザの状態に従って設計され得る。ディオプターがより穏やかであると、緩衝効果が提供され、その結果視界の快適さが高められ視界制御の矯正効果は維持され得る。
或いは、−６Ｄ≦ＰｏｗＰＭｉｎ≦１５Ｄの条件が満たされても良い。
或いは、−４Ｄ≦ＰｏｗＰＭｉｎ≦１３Ｄの条件が満たされても良い。
或いは、−２Ｄ≦ＰｏｗＰＭｉｎ≦１２Ｄの条件が満たされても良い。
或いは、０Ｄ≦ＰｏｗＰＭｉｎ≦１１Ｄの条件が満たされても良い。
或いは、０Ｄ≦ＰｏｗＰＭｉｎ≦１０Ｄの条件が満たされても良い。
【００５０】
具体的に、実施形態において、多焦点コンタクトレンズ１１０は環状領域、即ち第１の環状領域１１２のみを含む。全ての最大ディオプターの最大値は多焦点コンタクトレンズ１１０の第１の環状領域１１２の最大ディオプターに等しく（即ち、ＰｏｗＰＭａｘ＝ＰｏｗＰ１）、全ての最大ディオプターの最小値も多焦点コンタクトレンズ１１０の第１の環状領域１１２の最大ディオプターに等しい（即ち、ＰｏｗＰＭｉｎ＝ＰｏｗＰ１）。
【００５１】
他の実施形態では、多焦点コンタクトレンズは複数の環状領域を含み得る。例えば、多焦点コンタクトレンズは中央から周辺まで第２の環状領域及び第１の環状領域の２つの環状領域を含み得る。
多焦点コンタクトレンズの第１の環状領域の最大ディオプターはＰｏｗＰ１である。
多焦点コンタクトレンズの第２の環状領域の最大ディオプターはＰｏｗＰ２である。
ＰｏｗＰ２がＰｏｗＰ１より大きい時、全ての最大ディオプターの最大値は多焦点コンタクトレンズの第２の環状領域の最大ディオプターと等しく（即ち、ＰｏｗＰＭａｘ＝ＰｏｗＰ２）、全ての最大ディオプターの最小値は多焦点コンタクトレンズの第１の環状領域の最大ディオプターと等しい（即ち、ＰｏｗＰＭｉｎ＝ＰｏｗＰ１）。
或いは、ＰｏｗＰ１がＰｏｗＰ２より大きい時、全ての最大ディオプターの最大値は多焦点コンタクトレンズの第１の環状領域の最大ディオプターに等しく（即ち、ＰｏｗＰＭａｘ＝ＰｏｗＰ１）、全ての最大ディオプターの最小値は多焦点コンタクトレンズの第２の環状領域の最大ディオプターと等しい（即ち、ＰｏｗＰＭｉｎ＝ＰｏｗＰ２）。
【００５２】
更なる例として、多焦点コンタクトレンズは中央から周辺まで第３の環状領域、第２の環状領域及び第１の環状領域の３つの環状領域を含み得る。
多焦点コンタクトレンズの第１の環状領域の最大ディオプターがＰｏｗＰ１である。
多焦点コンタクトレンズの第２の環状領域の最大ディオプターがＰｏｗＰ２である。
多焦点コンタクトレンズの第３の環状領域の最大ディオプターがＰｏｗＰ３である。
ＰｏｗＰ３がＰｏｗＰ１より大きくて、ＰｏｗＰ１がＰｏｗＰ２より大きい時、全ての最大ディオプターの最大値は多焦点コンタクトレンズの第３の環状領域の最大ディオプターと等しく（即ち、ＰｏｗＰＭａｘ＝ＰｏｗＰ３）、全ての最大ディオプターの最小値は多焦点コンタクトレンズの第２の環状領域の最大ディオプターと等しい（即ち、ＰｏｗＰＭｉｎ＝ＰｏｗＰ２）。
【００５３】
多焦点コンタクトレンズがより多くの環状領域を含む時、ＰｏｗＰＭａｘ及びＰｏｗＰＭｉｎは同様に決定され得る。更に、多焦点コンタクトレンズの環状領域の最大ディオプターの名付けルールは以下等の様である。
多焦点コンタクトレンズの第１の環状領域の最大ディオプターはＰｏｗＰ１である。
多焦点コンタクトレンズの第２の環状領域の最大ディオプターはＰｏｗＰ２である。
多焦点コンタクトレンズの第３の環状領域の最大ディオプターはＰｏｗＰ３である。
多焦点コンタクトレンズの第４の環状領域の最大ディオプターはＰｏｗＰ４である。
多焦点コンタクトレンズの第５の環状領域の最大ディオプターはＰｏｗＰ５である。
【００５４】
環状領域（１１２）のそれぞれは最大ディオプターを含み、全ての最大ディオプターの最大値がＰｏｗＰＭａｘであり、全ての最大ディオプターの最小値がＰｏｗＰＭｉｎである時、
−８．０≦ＰｏｗＰＭｉｎ／ＰｏｗＰＭａｘ≦１．０
の条件が満たされ得る。従って、視力制御の矯正効果及び視覚的快適性のバランスを取ることが好ましい。
或いは、−６．０≦ＰｏｗＰＭｉｎ／ＰｏｗＰＭａｘ≦１．０の条件が満たされても良い。
或いは、−５．０≦ＰｏｗＰＭｉｎ／ＰｏｗＰＭａｘ≦０．９の条件が満たされても良い。
或いは、−４．０≦ＰｏｗＰＭｉｎ／ＰｏｗＰＭａｘ≦０．８の条件が満たされても良い。
或いは、−３．０≦ＰｏｗＰＭｉｎ／ＰｏｗＰＭａｘ≦０．７の条件が満たされても良い。
或いは、−２．５≦ＰｏｗＰＭｉｎ／ＰｏｗＰＭａｘ≦０．６の条件が満たされても良い。
【００５５】
環状領域（１１２）のそれぞれは最大ディオプターを含み、全ての最大ディオプターの最大値がＰｏｗＰＭａｘであり、多焦点コンタクトレンズ１１０の中央領域１１１のディオプターがＰｏｗＣである時、
０．１０≦｜ＰｏｗＰＭａｘ−ＰｏｗＣ｜／ＰｏｗＰＭａｘ≦１０
の条件が満たされ得る。従って、ユーザの近視程度及び治療期間に従いディオプターを適切に設計することが好ましい。
或いは、０．２５≦｜ＰｏｗＰＭａｘ−ＰｏｗＣ｜／ＰｏｗＰＭａｘ≦９の条件が満たされても良い。
或いは、０．２５≦｜ＰｏｗＰＭａｘ−ＰｏｗＣ｜／ＰｏｗＰＭａｘ≦８の条件が満たされても良い。
或いは、０．５０≦｜ＰｏｗＰＭａｘ−ＰｏｗＣ｜／ＰｏｗＰＭａｘ≦７の条件が満たされても良い。
或いは、０．５０≦｜ＰｏｗＰＭａｘ−ＰｏｗＣ｜／ＰｏｗＰＭａｘ≦６の条件が満たされても良い。
或いは、１．００≦｜ＰｏｗＰＭａｘ−ＰｏｗＣ｜／ＰｏｗＰＭａｘ≦５の条件が満たされても良い。
【００５６】
環状領域（１１２）のそれぞれは傾斜の絶対値を含み、全ての傾斜の絶対値の最大値がＳｌｏＰＭａｘの時、
０．５≦ＳｌｏＰＭａｘ≦２０
の条件が満たされ得る。従って、環状領域（１１２）のディオプターの変化がより大きくなり、それは視界制御の矯正効果を高め得る。
或いは、０．５≦ＳｌｏＰＭａｘ≦１５の条件が満たされても良い。
或いは、０．８≦ＳｌｏＰＭａｘ≦１３の条件が満たされても良い。
或いは、０．８≦ＳｌｏＰＭａｘ≦１０の条件が満たされても良い。
或いは、１．０≦ＳｌｏＰＭａｘ≦８の条件が満たされても良い。
或いは、１．０≦ＳｌｏＰＭａｘ≦６の条件が満たされても良い。
【００５７】
環状領域（１１２）のそれぞれは傾斜の絶対値を含み、全ての傾斜の絶対値の最小値がＳｌｏＰＭｉｎである時、
０≦ＳｌｏＰＭｉｎ≦１０
の条件が満たされ得る。従って、環状領域（１１２）のディオプターの変化がより穏やかになり、それは多焦点コンタクトレンズ１１０の成形の安定性及び耐久性を保持可能にし、同時に視界の快適さも提供できる。
或いは、０≦ＳｌｏＰＭｉｎ≦８の条件が満たされても良い。
或いは、０≦ＳｌｏＰＭｉｎ≦６の条件が満たされても良い。
或いは、０．１≦ＳｌｏＰＭｉｎ≦５の条件が満たされても良い。
或いは、０．１≦ＳｌｏＰＭｉｎ≦４の条件が満たされても良い。
或いは、０．１≦ＳｌｏＰＭｉｎ≦３の条件が満たされても良い。
【００５８】
具体的に、実施形態において、多焦点コンタクトレンズ１１０は環状領域、即ち第１の環状領域１１２のみを含む。第１の環状領域１１２の傾斜はＳｌｏＰ１である。即ち、第１の環状領域１１２は｜ＳｌｏＰ１｜として表される傾斜の絶対値を含む。従って、全ての傾斜の絶対値の最大値は第１の環状領域１１２の傾斜の絶対値と等しく（即ち、ＳｌｏＰＭａｘ＝｜ＳｌｏＰ１｜）、全ての傾斜の絶対値の最小値も第１の環状領域１１２の傾斜の絶対値と等しい（即ち、ＳｌｏＰＭｉｎ＝｜ＳｌｏＰ１｜）。
【００５９】
他の実施形態において、多焦点コンタクトレンズは複数の環状領域を含み得る。例えば、多焦点コンタクトレンズは中央から周辺まで第２の環状領域及び第１の環状領域の２つの環状領域を含み得る。第２の環状領域の傾斜はＳｌｏＰ２であり、その絶対値は｜ＳｌｏＰ２｜である。ＳｌｏＰ１及び｜ＳｌｏＰ１｜の定義は前に説明されており、ここでは繰り返さない。
｜ＳｌｏＰ２｜が｜ＳｌｐＰ１｜より大きい時、全ての傾斜の絶対値の最大値は第２の環状領域の傾斜の絶対値と等しく（即ち、ＳｌｏＰＭａｘ＝｜ＳｌｏＰ２｜）、全ての傾斜の絶対値の最小値は第１の環状領域の傾斜の絶対値と等しい（即ち、ＳｌｏＰＭｉｎ＝｜ＳｌｏＰ１｜）。
或いは、｜ＳｌｏＰ１｜が｜ＳｌｏＰ２｜より大きい時、全ての傾斜の絶対値の最大値は第１の環状領域の傾斜の絶対値に等しく（即ち、ＳｌｏＰＭａｘ＝｜ＳｌｏＰ１｜）、全ての傾斜の絶対値の最小値は第２の環状領域の傾斜の絶対値と等しい（即ち、ＳｌｏＰＭｉｎ＝｜ＳｌｏＰ２｜）。
【００６０】
更なる例として、多焦点コンタクトレンズは中央から周辺まで第３の環状領域、第２の環状領域及び第１の環状領域の３つの環状領域を含み得る。第３の環状領域の傾斜がＳｌｏＰ３であり、その絶対値は｜ＳｌｏＰ３｜である。ＳｌｏＰ２、｜ＳｌｏＰ２｜、ＳｌｏＰ１及び｜ＳｌｏＰ１｜の定義は前に説明されており、ここでは繰り返さない。
｜ＳｌｏＰ３｜が｜ＳｌｏＰ１｜より大きくて、｜ＳｌｏＰ１｜が｜ＳｌｏＰ２｜より大きい時、全ての傾斜の絶対値の最大値は第３の環状領域の傾斜の絶対値と等しく（即ち、ＳｌｏＰＭａｘ＝｜ＳｌｏＰ３｜）、全ての傾斜の絶対値の最小値は第２の環状領域の傾斜の絶対値と等しい（即ち、ＳｌｏＰＭｉｎ＝｜ＳｌｏＰ２｜）。
【００６１】
多焦点コンタクトレンズがより多くの環状領域を含む時、ＳｌｏＰＭａｘ及びＳｌｏＰＭｉｎは同様に決定され得る。更に、多焦点コンタクトレンズの環状領域の傾斜の名付けルールは以下等の様である。
第１の環状領域の傾斜はＳｌｏＰ１である。
第２の環状領域の傾斜はＳｌｏＰ２である。
第３の環状領域の傾斜はＳｌｏＰ３である。
第４の環状領域の傾斜はＳｌｏＰ４である。
第５の環状領域の傾斜はＳｌｏＰ５である。
【００６２】
環状領域（１１２）のそれぞれは傾斜の絶対値を含み、全ての傾斜の絶対値の最大値がＳｌｏＰＭａｘであり、全ての傾斜の絶対値の最小値がＳｌｏＰＭｉｎである時、
０≦ＳｌｏＰＭｉｎ／ＳｌｏＰＭａｘ≦１．０
の条件が満たされ得る。従って、ディオプターの程度の変化及び環状領域（１１２）の数を適切に評価及び設計することが好ましく、それは多焦点コンタクトレンズ１１０の成形の安定性及び耐久性を同時に保持可能とする。従って、多焦点コンタクトレンズ１１０の厚みが薄すぎて割れることも、厚すぎて異物感を生じることもない。
或いは、０．０１≦ＳｌｏＰＭｉｎ／ＳｌｏＰＭａｘ≦１．０の条件が満たされても良い。
或いは、０．０１≦ＳｌｏＰＭｉｎ／ＳｌｏＰＭａｘ≦０．９の条件が満たされても良い。
或いは、０．０２≦ＳｌｏＰＭｉｎ／ＳｌｏＰＭａｘ≦０．８の条件が満たされても良い。
或いは、０．０２≦ＳｌｏＰＭｉｎ／ＳｌｏＰＭａｘ≦０．７の条件が満たされても良い。
或いは、０＜ＳｌｏＰＭｉｎ／ＳｌｏＰＭａｘ≦０．３１の条件が満たされても良い。
【００６３】
多焦点コンタクトレンズ１１０の環状領域（１１２）の傾斜がＳｌｏＰである時、
０≦｜ＳｌｏＰ｜≦２０
の条件が満たされる。従って、環状領域（１１２）の数及びディオプターの程度の変化を適切に設計することが好ましく、それは視力制御の矯正効果及び視覚的快適性のバランスを取ることを可能にする。
或いは、０≦｜ＳｌｏＰ｜≦１５の条件が満たされても良い。
或いは、０．１≦｜ＳｌｏＰ｜≦１３の条件が満たされても良い。
或いは、０．１≦｜ＳｌｏＰ｜≦１０の条件が満たされても良い。
或いは、０≦｜ＳｌｏＰ｜≦８の条件が満たされても良い。
或いは、１＜｜ＳｌｏＰ｜≦７の条件が満たされても良い。
或いは、３≦｜ＳｌｏＰ｜≦６の条件が満たされても良い。
或いは、６≦｜ＳｌｏＰ｜≦１４の条件が満たされても良い。
或いは、６≦｜ＳｌｏＰ｜≦１２の条件が満たされても良い。
【００６４】
上述のように、多焦点コンタクトレンズの環状領域の傾斜の名付けルールは以下等の様である。
第１の環状領域の傾斜はＳｌｏＰ１である。
第２の環状領域の傾斜はＳｌｏＰ２である。
第３の環状領域の傾斜はＳｌｏＰ３である。
第４の環状領域の傾斜はＳｌｏＰ４である。
第５の環状領域の傾斜はＳｌｏＰ５である。
即ち、ＳｌｏＰはＳｌｏＰ１、ＳｌｏＰ２、ＳｌｏＰ３、ＳｌｏＰ４、ＳｌｏＰ５等の全体的な表現である。言い換えれば、ＳｌｏＰの上述の条件はＳｌｏＰ１、ＳｌｏＰ２、ＳｌｏＰ３、ＳｌｏＰ４、ＳｌｏＰ５等に適用され得る。
【００６５】
多焦点コンタクトレンズ１１０の中央領域１１１の傾斜がＳｌｏＣである時、
０≦｜ＳｌｏＣ｜≦０．１０
の条件が満たされ得る。従って、中央領域１１１の傾斜はゼロ近く又はゼロになり、それは中央領域１１１が一定のディオプターで近視を矯正できることを示す。理論的に、中央領域１１１の傾斜の設計値はゼロである。しかし、設計値と実際の測定値には誤差が存在し得、そのため中央領域１１１の傾斜の実際の値はゼロに近い値であれば良い。
或いは、０≦｜ＳｌｏＣ｜≦０．０８の条件が満たされても良い。
或いは、０．０００１≦｜ＳｌｏＣ｜≦０．０６の条件が満たされても良い。
或いは、０．０００５≦｜ＳｌｏＣ｜≦０．０４の条件が満たされても良い。
【００６６】
図３は本開示の他の実施形態による多焦点コンタクトレンズ２１０の概略平面図である。多焦点コンタクトレンズ２１０は中央領域２１１、第１の環状領域２１２及び第２の環状領域２１３を含む。中央領域２１１、第２の環状領域２１３及び第１の環状領域２１２は多焦点コンタクトレンズ２１０の中央から多焦点コンタクトレンズ２１０の周辺まで連続して連結され、同心円状である。
多焦点コンタクトレンズ２１０の中央領域２１１の直径がＤｉＣである。
多焦点コンタクトレンズ２１０の第１の環状領域２１２の外径がＤｉＰ１である。
多焦点コンタクトレンズ２１０の第２の環状領域２１３の外径がＤｉＰ２である。
【００６７】
第２の環状領域２１３のディオプターは中央領域２１１のディオプターと異なり、第１の環状領域２１２のディオプターは中央領域２１１のディオプターと異なる。従って、多焦点コンタクトレンズ２１０はマルチフォーカス機能の特徴を有し、周囲の像は網膜の前部に形成され得、それが眼球の軸方向の長さの増加を緩和でき、近視の悪化を防止する。本開示の一実施例によると、中央領域２１１のディオプターは固定される。
【００６８】
多焦点コンタクトレンズ２１０の中央領域２１１、第１の環状領域２１２及び第２の環状領域２１３の少なくとも一つは非球面である。従って、段階的なディオプターを有する第１の環状領域２１２及び／又は第２の環状領域２１３を設計することが望ましい。
【００６９】
多焦点コンタクトレンズ２１０の第２の環状領域２１３の外径がＤｉＰ２である時、
５ｍｍ≦ＤｉＰ２≦１３ｍｍ
の条件が満たされ得る。従って、ディオプターの増加の程度が緩和され得る。
好ましくは、６ｍｍ≦ＤｉＰ２≦１２ｍｍの条件が満たされ得る。
【００７０】
多焦点コンタクトレンズ２１０の中央領域２１１の直径がＤｉＣであり、多焦点コンタクトレンズ２１０の第２の環状領域２１３の外径がＤｉＰ２である時、
０．２≦ＤｉＣ／ＤｉＰ２＜１
の条件が満たされ得る。従って、第２の環状領域２１３のディオプターの増加の程度が緩和され、その結果ディオプターの過度の増加の程度から生じる不快感が回避される。
【００７１】
多焦点コンタクトレンズ２１０の他の特性は多焦点コンタクトレンズ１１０の特性と同じであり、ここでは繰り返さない。
【００７２】
図４は本開示の更に他の実施形態による多焦点コンタクトレンズ３１０の概略平面図である。多焦点コンタクトレンズ３１０は中央領域３１１、第１の環状領域３１２、第２の環状領域３１３及び第３の環状領域３１４を含む。中央領域３１１、第３の環状領域２１４、第２の環状領域３１３及び第１の環状領域３１２は多焦点コンタクトレンズ３１０の中央から多焦点コンタクトレンズ３１０の周辺まで連続して連結され、同心円状である。
多焦点コンタクトレンズ３１０の中央領域３１１の直径がＤｉＣである。
多焦点コンタクトレンズ３１０の第１の環状領域３１２の外径がＤｉＰ１である。
多焦点コンタクトレンズ３１０の第２の環状領域３１３の外径がＤｉＰ２である。
多焦点コンタクトレンズ３１０の第３の環状領域３１４の外径がＤｉＰ３である。
【００７３】
第３の環状領域３１４のディオプターは中央領域３１１のディオプターと異なる。
第２の環状領域３１３のディオプターは中央領域３１１のディオプターと異なる。
第１の環状領域３１２のディオプターは中央領域３１１のディオプターと異なる。
従って、多焦点コンタクトレンズ３１０はマルチフォーカス機能の特徴を有し、周囲の像は網膜の前部に形成され得る。それが眼球の軸方向の長さの増加を緩和でき、近視の悪化を防止する。本開示の一実施例によると、中央領域３１１のディオプターは固定される。
【００７４】
図２から４に示すように、本開示による多焦点コンタクトレンズ（１１０、２１０、３１０）は中央領域（１１１、２１１、３１１）を同心円状に囲む少なくとも１つの環状領域（第１の環状領域（１１２、２１２、３１２）、第２の環状領域（２１３、３１３）、第３の環状領域（３１４））を有し得る。環状領域の数及びディオプターは個々の眼球の生理的状態に従って柔軟に調節でき、その結果近視矯正の効果が高められ得る。従って、近視は効果的に防止又は制御され得る。
【００７５】
図２２は本開示の更に他の実施形態による多焦点コンタクトレンズ４１０の概略平面図である。多焦点コンタクトレンズ４１０は中央領域４１１、第１の環状領域４１２、第２の環状領域４１３、第３の環状領域４１４及び第４の環状領域４１５を含む。中央領域４１１、第４の環状領域４１５、第３の環状領域４１４、第２の環状領域４１３及び第１の環状領域４１２は多焦点コンタクトレンズ４１０の中央から多焦点コンタクトレンズ４１０の周辺まで連続して連結され、同心円状である。
多焦点コンタクトレンズ４１０の中央領域４１１の直径がＤｉＣである。
多焦点コンタクトレンズ４１０の第１の環状領域４１２の外径がＤｉＰ１である。
多焦点コンタクトレンズ４１０の第２の環状領域４１３の外径がＤｉＰ２である。
多焦点コンタクトレンズ４１０の第３の環状領域４１４の外径がＤｉＰ３である。
多焦点コンタクトレンズ４１０の第４の環状領域４１５の外径がＤｉＰ４である。
【００７６】
第４の環状領域４１５のディオプターは中央領域４１１のディオプターと異なる。
第３の環状領域４１４のディオプターは中央領域４１１のディオプターと異なる。
第２の環状領域４１３のディオプターは中央領域４１１のディオプターと異なる。
第１の環状領域４１２のディオプターは中央領域４１１のディオプターと異なる。
従って、多焦点コンタクトレンズ４１０はマルチフォーカス機能の特徴を有する。
【００７７】
図２３は本開示の更に他の実施形態による多焦点コンタクトレンズ５１０の概略平面図である。多焦点コンタクトレンズ５１０は中央領域５１１、第１の環状領域５１２、第２の環状領域５１３、第３の環状領域５１４、第４の環状領域５１５及び第５の環状領域５１６を含む。中央領域５１１、第５の環状領域５１６、第４の環状領域５１５、第３の環状領域５１４、第２の環状領域５１３及び第１の環状領域５１２は多焦点コンタクトレンズ５１０の中央から多焦点コンタクトレンズ５１０の周辺まで連続して連結され、同心円状である。
多焦点コンタクトレンズ５１０の中央領域５１１の直径がＤｉＣである。
多焦点コンタクトレンズ５１０の第１の環状領域５１２の外径がＤｉＰ１である。
多焦点コンタクトレンズ５１０の第２の環状領域５１３の外径がＤｉＰ２である。
多焦点コンタクトレンズ５１０の第３の環状領域５１４の外径がＤｉＰ３である。
多焦点コンタクトレンズ５１０の第４の環状領域５１５の外径がＤｉＰ４である。
多焦点コンタクトレンズ５１０の第５の環状領域５１６の外径がＤｉＰ５である。
【００７８】
第５の環状領域５１６のディオプターは中央領域５１１のディオプターと異なる。
第４の環状領域５１５のディオプターは中央領域５１１のディオプターと異なる。
第３の環状領域５１４のディオプターは中央領域５１１のディオプターと異なる。
第２の環状領域５１３のディオプターは中央領域５１１のディオプターと異なる。
第１の環状領域５１２のディオプターは中央領域５１１のディオプターと異なる。
従って、多焦点コンタクトレンズ５１０はマルチフォーカス機能の特徴を有する。
【００７９】
本開示によると、他のコンタクトレンズ製品が提供される。コンタクトレンズ製品は多焦点コンタクトレンズを含む。多焦点コンタクトレンズを製造するための組成は青色光遮断薬を含む。従って、多焦点コンタクトレンズは高エネルギーの青色光をブロックでき、青色光による網膜の損傷の可能性が低下され得る。青色光遮断薬、多焦点コンタクトレンズの材料及び他の性質の詳細は図１から４の内容を参照可能であり、ここでは繰り返さない。
【００８０】
＜第１の実施例＞
第１の実施例において、多焦点コンタクトレンズは中央領域と第１の環状領域を含む。第１の環状領域は中央領域を同心円状に囲む。中央領域及び第１の環状領域の少なくとも１つは非球面である。
第１の実施例の多焦点コンタクトレンズの構造は図２を参照可能である。
【００８１】
第１の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの中央領域のディオプターはＰｏｗＣである。
多焦点コンタクトレンズの第１の環状領域の最大ディオプターはＰｏｗＰ１である。
第１の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の値は表１に列挙される。
【００８２】
【表１】
2018045232.tif 000003
【００８３】
表２及び図５を同時に参照されたい。第１の実施例の多焦点コンタクトレンズの半径及び対応するディオプターが表２に列挙される。図５は第１の実施例の多焦点コンタクトレンズの半径とディオプターの関係を示す（負の半径は正の半径の反対方向にある）。表２及び図５に示すように、中心領域のディオプターは固定され、第１の環状領域のディオプターは中央領域のディオプターと異なる。具体的に、第１の環状領域のディオプターは中心領域のディオプターより大きく、第１の環状領域のディオプターは中央領域から離れるにつれ増加する。
【００８４】
【表２】
2018045232.tif 000004
【００８５】
第１の実施例において、多焦点コンタクトレンズはヒドロゲルで作られる。第１の実施例におけるヒドロゲルを製造するための組成は表３に列挙される。
【００８６】
【表３】
2018045232.tif 000005
【００８７】
表３に示すように、第１の実施例の多焦点コンタクトレンズは２−［２−ヒドロキシ−５−［２−（メタクリロキシ）エチル］フェニル］−２Ｈ−ベンゾトリアゾールを加えることにより紫外線をブロックできる。
【００８８】
＜第２の実施例＞
第２の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第２の実施例の多焦点コンタクトレンズの構造は図３を参照可能である。
【００８９】
第２の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第２の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表４に列挙される。
【００９０】
【表４】
2018045232.tif 000006
【００９１】
表５及び図６を同時に参照されたい。第２の実施例の多焦点コンタクトレンズの半径及び対応するディオプターが表５に列挙される。図６は第２の実施例の多焦点コンタクトレンズの半径とディオプターの関係を示す（負の半径は正の半径の反対方向にある）。表５及び図６に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは固定される。
【００９２】
【表５】
2018045232.tif 000007
【００９３】
第２の実施例において、多焦点コンタクトレンズはヒドロゲルで作られる。
第２の実施例におけるヒドロゲルを製造するための組成は表６Ａに列挙される。
【００９４】
【表６Ａ】
2018045232.tif 000008
【００９５】
表６Ａに示すように、第２の実施例の多焦点コンタクトレンズは２−［２−ヒドロキシ−５−［２−（メタクリロキシ）エチル］フェニル］−２Ｈ−ベンゾトリアゾールを加えることにより紫外線をブロックできる。
【００９６】
図７は第２の実施例の多焦点コンタクトレンズと第１の比較例の多焦点コンタクトレンズの波長と透過率の関係を示す。第１の比較例と第２の実施例の違いは、第１の比較例がＵＶ遮断薬を欠如していることである。具体的に、第１の比較例の組成は、第２の実施例の２−［２−ヒドロキシ−５−［２−（メタクリロキシ）エチル］フェニル］−２Ｈ−ベンゾトリアゾールをヒドロキシエチルメタクリレートと置換することにより形成される。
図７において、第１の比較例と第２の実施例のＵＶ−Ａ（３１６ｎｍから３８０ｎｍの波長の紫外線）遮断率は以下の式により計算される。
（１−３１６ｎｍから３８０ｎｍの波長の平均透過率）×１００％。
更に、第１の比較例と第２の実施例のＵＶ−Ｂ（２８０ｎｍから３１５ｎｍの波長の紫外線）遮断率は以下の式により計算される。
（１−２８０ｎｍから３１５ｎｍの波長の平均透過率）×１００％。
計算結果は表６Ｂに列挙される。
【００９７】
【表６Ｂ】
2018045232.tif 000009
【００９８】
表６Ｂに示されるように、第１の比較例と比較して、第２の実施例のＵＶ−Ａ遮断率とＵＶ−Ｂ遮断率は第１の比較例のものよりずっと大きい。言い換えると、第２の実施例の多焦点コンタクトレンズは紫外線を効果的にブロックし、その結果紫外線による網膜損傷の可能性が低減され得る。
【００９９】
＜第３の実施例＞
第３の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第３の実施例の多焦点コンタクトレンズの構造は図３を参照可能である。
【０１００】
第３の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第３の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表７に列挙される。
【０１０１】
【表７】
2018045232.tif 000010
【０１０２】
表８及び図８を同時に参照されたい。第３の実施例の多焦点コンタクトレンズの半径及び対応するディオプターが表８に列挙される。図８は第３の実施例の多焦点コンタクトレンズの半径とディオプターの関係を示す（負の半径は正の半径の反対方向にある）。表８及び図８に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは中央領域から離れるにつれ増加する。
【０１０３】
【表８】
2018045232.tif 000011
【０１０４】
第３の実施例において、多焦点コンタクトレンズはヒドロゲルで作られる。第３の実施例におけるヒドロゲルを製造するための組成は表９に列挙される。
【０１０５】
【表９】
2018045232.tif 000012
【０１０６】
表９に示すように、第３の実施例の多焦点コンタクトレンズは２−［２−ヒドロキシ−５−［２−（メタクリロキシ）エチル］フェニル］−２Ｈ−ベンゾトリアゾールを加えることにより紫外線をブロックできる。
【０１０７】
＜第４の実施例＞
第４の実施例において、多焦点コンタクトレンズは中央領域及び第１の環状領域を含む。第１の環状領域は中央領域を同心円状に囲む。中央領域及び第１の環状領域の少なくとも１つは非球面である。
第４の実施例の多焦点コンタクトレンズの構造は図２を参照可能である。
【０１０８】
第４の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの中央領域のディオプターはＰｏｗＣである。
多焦点コンタクトレンズの第１の環状領域の最大ディオプターはＰｏｗＰ１である。
第４の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の値は表１０に列挙される。
【０１０９】
【表１０】
2018045232.tif 000013
【０１１０】
表１１及び図９を同時に参照されたい。第４の実施例の多焦点コンタクトレンズの半径及び対応するディオプターが表１１に列挙される。図９は第４の実施例の多焦点コンタクトレンズの半径とディオプターの関係を示す（負の半径は正の半径の反対方向にある）。表１１及び図９に示すように、中心領域のディオプターは固定され、第１の環状領域のディオプターは中央領域のディオプターと異なる。具体的に、第１の環状領域のディオプターは中心領域のディオプターより大きく、第１の環状領域のディオプターは中央領域から離れるにつれ増加する。
【０１１１】
【表１１】
2018045232.tif 000014
【０１１２】
第４の実施例において、多焦点コンタクトレンズはヒドロゲルで作られる。第４の実施例におけるヒドロゲルを製造するための組成は表１２Ａに列挙される。
【０１１３】
【表１２Ａ】
2018045232.tif 000015
【０１１４】
表１２Ａに示すように、第４の実施例の多焦点コンタクトレンズは２−（４−ベンゾイル−３−ヒドロキシフェノキシ）エチルアクリレートを加えることにより紫外線をブロックできる。
【０１１５】
図１０は第４の実施例の多焦点コンタクトレンズと第２の比較例の多焦点コンタクトレンズの波長と透過率の関係を示す。第２の比較例と第４の実施例の違いは、第２の比較例がＵＶ遮断薬を欠如していることである。具体的に、第２の比較例の組成は、第４の実施例の２−（４−ベンゾイル−３−ヒドロキシフェノキシ）エチルアクリレートをヒドロキシエチルメタクリレートと置換することにより形成される。図１０において、第２の比較例と第４の実施例のＵＶ−Ａ（３１６ｎｍから３８０ｎｍの波長の紫外線）遮断率は以下の式により計算される。
（１−３１６ｎｍから３８０ｎｍの波長の平均透過率）×１００％。
更に、第２の比較例と第４の施例のＵＶ−Ｂ（２８０ｎｍから３１５ｎｍの波長の紫外線）遮断率は以下の式により計算される。
（１−２８０ｎｍから３１５ｎｍの波長の平均透過率）×１００％。
計算結果は表１２Ｂに列挙される。
【０１１６】
【表１２Ｂ】
2018045232.tif 000016
【０１１７】
表１２Ｂに示されるように、第２の比較例と比較して、第４の実施例のＵＶ−Ａ遮断率とＵＶ−Ｂ遮断率は第２の比較例のものよりずっと大きい。言い換えると、第４の実施例の多焦点コンタクトレンズは紫外線を効果的にブロックし、その結果紫外線による網膜損傷の可能性が低減され得る。
【０１１８】
＜第５の実施例＞
第５の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第５の実施例の多焦点コンタクトレンズの構造は図３を参照可能である。
【０１１９】
第５の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第５の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表１３に列挙される。
【０１２０】
【表１３】
2018045232.tif 000017
【０１２１】
表１４及び図１１を同時に参照されたい。第５の実施例の多焦点コンタクトレンズの半径及び対応するディオプターが表１４に列挙される。図１１は第５の実施例の多焦点コンタクトレンズの半径とディオプターの関係を示す（負の半径は正の半径の反対方向にある）。表１４及び図１１に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは固定される。
【０１２２】
【表１４】
2018045232.tif 000018
【０１２３】
第５の実施例において、多焦点コンタクトレンズはヒドロゲルで作られる。第５の実施例におけるヒドロゲルを製造するための組成は表１５に列挙される。
【０１２４】
【表１５】
2018045232.tif 000019
【０１２５】
表１５に示すように、第５の実施例の多焦点コンタクトレンズは２−（４−ベンゾイル−３−ヒドロキシフェノキシ）エチルアクリレートを加えることにより紫外線を効果的にブロックできる。
【０１２６】
＜第６の実施例＞
第６の実施例において、多焦点コンタクトレンズは中央領域及び第１の環状領域を含む。第１の環状領域は中央領域を同心円状に囲む。中央領域及び第１の環状領域の少なくとも１つは非球面である。
第６の実施例の多焦点コンタクトレンズの構造は図２を参照可能である。
【０１２７】
第６の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの中央領域のディオプターはＰｏｗＣである。
多焦点コンタクトレンズの第１の環状領域の最大ディオプターはＰｏｗＰ１である。
第６の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の値は表１６に列挙される。
【０１２８】
【表１６】
2018045232.tif 000020
【０１２９】
表１７及び図１２を同時に参照されたい。第６の実施例の多焦点コンタクトレンズの半径及び対応するディオプターが表１７に列挙される。図１２は第６の実施例の多焦点コンタクトレンズの半径とディオプターの関係を示す（負の半径は正の半径の反対方向にある）。表１７及び図１２に示すように、中心領域のディオプターは固定され、第１の環状領域のディオプターは中央領域のディオプターと異なる。具体的に、第１の環状領域のディオプターは中心領域のディオプターより大きく、第１の環状領域のディオプターは中央領域から離れるにつれ増加する。
【０１３０】
【表１７】
2018045232.tif 000021
【０１３１】
第６の実施例において、多焦点コンタクトレンズはヒドロゲルで作られる。第６の実施例におけるヒドロゲルを製造するための組成は表１８に列挙される。
【０１３２】
【表１８】
2018045232.tif 000022
【０１３３】
表１８に示すように、第６の実施例の多焦点コンタクトレンズは２−（４−ベンゾイル−３−ヒドロキシフェノキシ）エチルアクリレートを加えることにより紫外線を効果的にブロックできる。
【０１３４】
＜第７の実施例＞
第７の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第７の実施例の多焦点コンタクトレンズの構造は図３を参照可能である。
【０１３５】
第７の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第７の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表１９に列挙される。
【０１３６】
【表１９】
2018045232.tif 000023
【０１３７】
表２０及び図１３を同時に参照されたい。第７の実施例の多焦点コンタクトレンズの半径及び対応するディオプターが表２０に列挙される。図１３は第７の実施例の多焦点コンタクトレンズの半径とディオプターの関係を示す（負の半径は正の半径の反対方向にある）。表２０及び図１３に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは中央領域から離れるにつれ増加する。
【０１３８】
【表２０】
2018045232.tif 000024
【０１３９】
第７の実施例において、多焦点コンタクトレンズはヒドロゲルで作られる。第７の実施例におけるヒドロゲルを製造するための組成は表２１Ａに列挙される。
【０１４０】
【表２１Ａ】
2018045232.tif 000025
【０１４１】
表２１Ａに示すように、第７の実施例の多焦点コンタクトレンズは４−（フェニルジアゼニル）フェニルメタクリレートを加えることにより青色光を効果的にブロックできる。
【０１４２】
図１４は第７の実施例の多焦点コンタクトレンズと第３の比較例の多焦点コンタクトレンズの波長と透過率の関係を示す。第３の比較例と第７の実施例の違いは、第３の比較例が青色光遮断薬を欠如していることである。具体的に、第３の比較例の組成は、第７の実施例の４−（フェニルジアゼニル）フェニルメタクリレートをヒドロキシエチルメタクリレートと置換することにより形成される。図１４において、第３の比較例と第７の実施例の青色光（３８０ｎｍから４９５ｎｍの波長を有する）遮断率は以下の式により計算される。
（１−３８０ｎｍから４９５ｎｍの波長の平均透過率）×１００％。
計算結果は表２１Ｂに列挙される。
【０１４３】
【表２１Ｂ】
2018045232.tif 000026
【０１４４】
表２１Ｂに示されるように、第３の比較例と比較して、第７の実施例の青色光遮断率は第３の比較例のものよりずっと大きい。言い換えると、第７の実施例の多焦点コンタクトレンズは青色光を効果的にブロックでき、その結果青色光による網膜損傷の可能性が低減され得る。
【０１４５】
＜第８の実施例＞
第８の実施例において、多焦点コンタクトレンズは中央領域及び第１の環状領域を含む。第１の環状領域は中央領域を同心円状に囲む。中央領域及び第１の環状領域の少なくとも１つは非球面である。
第８の実施例の多焦点コンタクトレンズの構造は図２を参照可能である。
【０１４６】
第８の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの中央領域のディオプターはＰｏｗＣである。
多焦点コンタクトレンズの第１の環状領域の最大ディオプターはＰｏｗＰ１である。
第８の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の値は表２２に列挙される。
【０１４７】
【表２２】
2018045232.tif 000027
【０１４８】
表２３及び図１５を同時に参照されたい。第８の実施例の多焦点コンタクトレンズの半径及び対応するディオプターが表２３に列挙される。図１５は第８の実施例の多焦点コンタクトレンズの半径とディオプターの関係を示す（負の半径は正の半径の反対方向にある）。表２３及び図１５に示すように、中心領域のディオプターは固定され、第１の環状領域のディオプターは中央領域のディオプターと異なる。具体的に、第１の環状領域のディオプターは中心領域のディオプターより大きく、第１の環状領域のディオプターは中央領域から離れるにつれ増加する。
【０１４９】
【表２３】
2018045232.tif 000028
【０１５０】
第８の実施例において、多焦点コンタクトレンズはヒドロゲルで作られる。第８の実施例におけるヒドロゲルを製造するための組成は表２４に列挙される。
【０１５１】
【表２４】
2018045232.tif 000029
【０１５２】
表２４に示すように、第８の実施例の多焦点コンタクトレンズは４−（フェニルジアゼニル）フェニルメタクリレートを加えることにより青色光を効果的にブロックできる。
【０１５３】
＜第９の実施例＞
第９の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第９の実施例の多焦点コンタクトレンズの構造は図３を参照可能である。
【０１５４】
第９の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第９の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表２５に列挙される。
【０１５５】
【表２５】
2018045232.tif 000030
【０１５６】
表２６及び図１６を同時に参照されたい。第９の実施例の多焦点コンタクトレンズの半径及び対応するディオプターが表２６に列挙される。図１６は第９の実施例の多焦点コンタクトレンズの半径とディオプターの関係を示す（負の半径は正の半径の反対方向にある）。表２６及び図１６に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは中央領域から離れるにつれ増加する。
【０１５７】
【表２６】
2018045232.tif 000031
【０１５８】
第９の実施例において、多焦点コンタクトレンズはヒドロゲルで作られる。第９の実施例におけるヒドロゲルを製造するための組成は表２７に列挙される。
【０１５９】
【表２７】
2018045232.tif 000032
【０１６０】
表２７に示すように、第９の実施例の多焦点コンタクトレンズは４−（フェニルジアゼニル）フェニルメタクリレートを加えることにより青色光を効果的にブロックできる。
【０１６１】
＜第１０の実施例＞
第１０の実施例において、多焦点コンタクトレンズは中央領域及び第１の環状領域を含む。第１の環状領域は中央領域を同心円状に囲む。中央領域及び第１の環状領域の少なくとも１つは非球面である。
第１０の実施例の多焦点コンタクトレンズの構造は図２を参照可能である。
【０１６２】
第１０の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの中央領域のディオプターはＰｏｗＣである。
多焦点コンタクトレンズの第１の環状領域の最大ディオプターはＰｏｗＰ１である。
第１０の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の値は表２８に列挙される。
【０１６３】
【表２８】
2018045232.tif 000033
【０１６４】
表２９及び図１７を同時に参照されたい。第１０の実施例の多焦点コンタクトレンズの半径及び対応するディオプターが表２９に列挙される。図１７は第１０の実施例の多焦点コンタクトレンズの半径とディオプターの関係を示す（負の半径は正の半径の反対方向にある）。表２９及び図１７に示すように、中心領域のディオプターは固定され、第１の環状領域のディオプターは中央領域のディオプターと異なる。具体的に、第１の環状領域のディオプターは中心領域のディオプターより大きく、第１の環状領域のディオプターは中央領域から離れるにつれ増加する。
【０１６５】
【表２９】
2018045232.tif 000034
【０１６６】
第１０の実施例において、多焦点コンタクトレンズはシリコーンハイドロゲルで作られる。第１０の実施例におけるシリコーンハイドロゲルを製造するための組成は表３０に列挙される。
【０１６７】
【表３０】
2018045232.tif 000035
【０１６８】
表３０に示すように、第１０の実施例の多焦点コンタクトレンズは２−（４−ベンゾイル−３−ヒドロキシフェノキシ）エチルアクリレートを加えることにより紫外線を効果的にブロックできる。
【０１６９】
＜第１１の実施例＞
第１１の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第１１の実施例の多焦点コンタクトレンズの構造は図３を参照可能である。
【０１７０】
第１１の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
第１１の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の値は表３１に列挙される。
【０１７１】
【表３１】
2018045232.tif 000036
【０１７２】
表３２及び図１８を同時に参照されたい。第１１の実施例の多焦点コンタクトレンズの半径及び対応するディオプターが表３２に列挙される。図１８は第１１の実施例の多焦点コンタクトレンズの半径とディオプターの関係を示す（負の半径は正の半径の反対方向にある）。表３２及び図１８に示すように、中心領域のディオプターは固定され、第２の環状領域のディオプターは中央領域のディオプターと異なり、第１の環状領域のディオプターは中央領域のディオプターと異なる。具体的に、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは中央領域から離れるにつれ増加する。
【０１７３】
【表３２】
2018045232.tif 000037
【０１７４】
第１１の実施例において、多焦点コンタクトレンズはシリコーンハイドロゲルで作られる。第１１の実施例におけるシリコーンハイドロゲルを製造するための組成は表３３Ａに列挙される。
【０１７５】
【表３３Ａ】
2018045232.tif 000038
【０１７６】
表３３Ａに示すように、第１１の実施例の多焦点コンタクトレンズは２−（４−ベンゾイル−３−ヒドロキシフェノキシ）エチルアクリレートを加えることにより紫外線を効果的にブロックできる。
【０１７７】
図１９は第１１の実施例の多焦点コンタクトレンズと第４の比較例の多焦点コンタクトレンズの波長と透過率の関係を示す。第４の比較例と第１１の実施例の違いは、第４の比較例がＵＶ遮断薬を欠如していることである。具体的に、第４の比較例の組成は、第１１の実施例の２−（４−ベンゾイル−３−ヒドロキシフェノキシ）エチルアクリレートをヒドロキシエチルメタクリレートと置換することにより形成される。図１９において、第４の比較例と第１１の実施例のＵＶ−Ａ（３１６ｎｍから３８０ｎｍの波長の紫外線）遮断率は以下の式により計算される。
（１−３１６ｎｍから３８０ｎｍの波長の平均透過率）×１００％。
更に、第４の比較例と第１１の実施例のＵＶ−Ｂ（２８０ｎｍから３１５ｎｍの波長の紫外線）遮断率は以下の式により計算される。
（１−２８０ｎｍから３１５ｎｍの波長の平均透過率）×１００％。
計算結果は表３３Ｂに列挙される。
【０１７８】
【表３３Ｂ】
2018045232.tif 000039
【０１７９】
表３３Ｂに示されるように、第４の比較例と比較して、第１１の実施例のＵＶ−Ａ遮断率とＵＶ−Ｂ遮断率は第４の比較例のものよりずっと大きい。言い換えると、第１１の実施例の多焦点コンタクトレンズは紫外線を効果的にブロックでき、その結果紫外線による網膜損傷の可能性が低減され得る。
【０１８０】
＜第１２の実施例＞
第１２の実施例において、多焦点コンタクトレンズは中央領域、第１の環状領域、第２の環状領域及び第３の環状領域を含む。中央領域、第３の環状領域、第２の環状領域及び第１の環状領域は多焦点コンタクトレンズの中心から多焦点コンタクトレンズの周辺まで連続して連結され、同心円状である。中央領域、第３の環状領域、第２の環状領域及び第１の環状領域の少なくとも１つは非球面である。
第１２の実施例の多焦点コンタクトレンズの構造は図４を参照可能である。
【０１８１】
第１２の実施例の多焦点コンタクトレンズにおいて、多焦点コンタクトレンズの中央領域の直径はＤｉＣである。
多焦点コンタクトレンズの第１の環状領域の外径はＤｉＰ１である。
多焦点コンタクトレンズの第２の環状領域の外径はＤｉＰ２である。
多焦点コンタクトレンズの第３の環状領域の外径はＤｉＰ３である。
多焦点コンタクトレンズの中央領域のディオプターはＰｏｗＣである。
多焦点コンタクトレンズの第１の環状領域の最大ディオプターはＰｏｗＰ１である。
多焦点コンタクトレンズの第２の環状領域の最大ディオプターはＰｏｗＰ２である。
多焦点コンタクトレンズの第３の環状領域の最大ディオプターはＰｏｗＰ３である。
第１２の実施例のＤｉＣ、ＤｉＰ１、ＤｉＰ２、ＤｉＰ３、ＤｉＣ／ＤｉＰ１、ＤｉＣ／ＤｉＰ２、ＰｏｗＣ、ＰｏｗＰ１、ＰｏｗＰ２、ＰｏｗＰ３、｜ＰｏｗＣ−ＰｏｗＰ１｜の値は表３４に列挙される。
【０１８２】
【表３４】
2018045232.tif 000040
【０１８３】
表３５及び図２０を同時に参照されたい。第１２の実施例の多焦点コンタクトレンズの半径及び対応するディオプターが表３５に列挙される。図２０は第１２の実施例の多焦点コンタクトレンズの半径とディオプターの関係を示す（負の半径は正の半径の反対方向にある）。表３５及び図２０に示すように、中心領域のディオプターは固定され、第３の環状領域のディオプターは中央領域のディオプターと異なり、第２の環状領域のディオプターは中央領域のディオプターと異なり、第１の環状領域のディオプターは中央領域のディオプターと異なる。具体的に、第３の環状領域のディオプターは中心領域のディオプターより大きく、第３の環状領域のディオプターは中央領域から離れるにつれ増加し、第２の環状領域のディオプターは中心領域のディオプターより大きく、第２の環状領域のディオプターは中央領域から離れるにつれ増加し、第１の環状領域のディオプターは中心領域のディオプターより大きく、第１の環状領域のディオプターは固定される。
【０１８４】
【表３５】
2018045232.tif 000041
【０１８５】
第１２の実施例において、多焦点コンタクトレンズはシリコーンハイドロゲルで作られる。第１２の実施例におけるシリコーンハイドロゲルを製造するための組成は表３６Ａに列挙される。
【０１８６】
【表３６Ａ】
2018045232.tif 000042
【０１８７】
表３６Ａに示すように、第１２の実施例の多焦点コンタクトレンズは４−（フェニルジアゼニル）フェニルメタクリレートを加えることにより青色光を効果的にブロックできる。
【０１８８】
図２１は第１２の実施例の多焦点コンタクトレンズと第５の比較例の多焦点コンタクトレンズの波長と透過率の関係を示す。第５の比較例と第１２の実施例の違いは、第５の比較例が青色光遮断薬を欠如していることである。具体的に、第５の比較例の組成は、第１２の実施例の４−（フェニルジアゼニル）フェニルメタクリレートをヒドロキシエチルメタクリレートと置換することにより形成される。図２１において、第５の比較例と第１２の実施例の青色光（３８０ｎｍから４９５ｎｍの波長を有する）遮断率は以下の式により計算される。
（１−３８０ｎｍから４９５ｎｍの波長の平均透過率）×１００％。
計算結果は表３６Ｂに列挙される。
【０１８９】
【表３６Ｂ】
2018045232.tif 000043
【０１９０】
表３６Ｂに示されるように、第５の比較例と比較して、第１２の実施例の青色光遮断率は第５の比較例のものよりずっと大きい。言い換えると、第１２の実施例の多焦点コンタクトレンズは青色光を効果的にブロックでき、その結果青色光による網膜損傷の可能性が低減され得る。
【０１９１】
＜第１３の実施例＞
第１３の実施例において、多焦点コンタクトレンズは中央領域及び第１の環状領域を含む。第１の環状領域は中央領域を同心円状に囲む。中央領域及び第１の環状領域の少なくとも１つは非球面である。
第１３の実施例の多焦点コンタクトレンズの構造は図２を参照可能である。多焦点コンタクトレンズはシリコーンハイドロゲル又はヒドロゲルで作られる。
【０１９２】
第１３の実施例のＤｉＣ、ＤｉＰ１、ＤｉＣ／ＤｉＰ１、ＰｏｗＣ、ＰｏｗＰ１、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、ＳｌｏＰＭａｘ、ＳｌｏＰＭｉｎ、ＳｌｏＰＭｉｎ／ＳｌｏＰＭａｘ及び｜ＳｌｏＰ｜の値は表３７に列挙される。パラメータの定義は前に説明され、ここでは繰り返さない。
【０１９３】
【表３７】
2018045232.tif 000044
【０１９４】
表３８及び図２４を同時に参照されたい。第１３の実施例の多焦点コンタクトレンズの半径及び対応するディオプターが表３８に列挙される。図２４は第１３の実施例の多焦点コンタクトレンズの半径とディオプターの関係を示す（負の半径は正の半径の反対方向にある）。更に、表３８の２重線は多焦点コンタクトレンズの異なる領域を分けるためのものである。具体的に、第１３の実施例において、表３８の２重線は中央領域と第１の環状領域を分けるためのものである。２重線の機能は以下の実施例（第１４の実施例から第２４の実施例）と同様であり、ここでは繰り返さない。
【０１９５】
【表３８】
2018045232.tif 000045
【０１９６】
＜第１４の実施例＞
第１４の実施例において、多焦点コンタクトレンズは中央領域及び第１の環状領域を含む。第１の環状領域は中央領域を同心円状に囲む。中央領域及び第１の環状領域の少なくとも１つは非球面である。
第１４の実施例の多焦点コンタクトレンズの構造は図２を参照可能である。多焦点コンタクトレンズはシリコーンハイドロゲル又はヒドロゲルで作られる。
【０１９７】
第１４の実施例のＤｉＣ、ＤｉＰ１、ＤｉＣ／ＤｉＰ１、ＰｏｗＣ、ＰｏｗＰ１、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、ＳｌｏＰＭａｘ、ＳｌｏＰＭｉｎ、ＳｌｏＰＭｉｎ／ＳｌｏＰＭａｘ及び｜ＳｌｏＰ｜の値は表３９に列挙される。パラメータの定義は前に説明され、ここでは繰り返さない。
【０１９８】
【表３９】
2018045232.tif 000046
【０１９９】
表４０及び図２５を同時に参照されたい。第１４の実施例の多焦点コンタクトレンズの半径及び対応するディオプターが表４０に列挙される。図２５は第１４の実施例の多焦点コンタクトレンズの半径とディオプターの関係を示す（負の半径は正の半径の反対方向にある）。
【０２００】
【表４０】
2018045232.tif 000047
【０２０１】
＜第１５の実施例＞
第１５の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第１５の実施例の多焦点コンタクトレンズの構造は図３を参照可能である。多焦点コンタクトレンズはシリコーンハイドロゲル又はヒドロゲルで作られる。
【０２０２】
第１５の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、ＳｌｏＰＭａｘ、ＳｌｏＰＭｉｎ、ＳｌｏＰＭｉｎ／ＳｌｏＰＭａｘ及び｜ＳｌｏＰ｜の値は表４１に列挙される。
【０２０３】
【表４１】
2018045232.tif 000048
【０２０４】
表４２及び図２６を同時に参照されたい。第１５の実施例の多焦点コンタクトレンズの半径及び対応するディオプターが表４２に列挙される。図２６は第１５の実施例の多焦点コンタクトレンズの半径とディオプターの関係を示す（負の半径は正の半径の反対方向にある）。
【０２０５】
【表４２】
2018045232.tif 000049
【０２０６】
＜第１６の実施例＞
第１６の実施例において、多焦点コンタクトレンズは中央領域、第１の環状領域及び第２の環状領域を含む。中央領域、第２の環状領域及び第１の環状領域は多焦点コンタクトレンズの中心から多焦点コンタクトレンズの周辺まで連続して連結され、同心円状である。中央領域、第２の環状領域及び第１の環状領域の少なくとも１つは非球面である。
第１６の実施例の多焦点コンタクトレンズの構造は図３を参照可能である。多焦点コンタクトレンズはシリコーンハイドロゲル又はヒドロゲルで作られる。
【０２０７】
第１６の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、ＳｌｏＰＭａｘ、ＳｌｏＰＭｉｎ、ＳｌｏＰＭｉｎ／ＳｌｏＰＭａｘ及び｜ＳｌｏＰ｜の値は表４３に列挙される。
【０２０８】
【表４３】
2018045232.tif 000050
【０２０９】
表４４及び図２７を同時に参照されたい。第１６の実施例の多焦点コンタクトレンズの半径及び対応するディオプターが表４４に列挙される。図２７は第１６の実施例の多焦点コンタクトレンズの半径とディオプターの関係を示す（負の半径は正の半径の反対方向にある）。
【０２１０】
【表４４】
2018045232.tif 000051
【０２１１】
＜第１７の実施例＞
第１７の実施例において、多焦点コンタクトレンズは中央領域、第１の環状領域、第２の環状領域及び第３の環状領域を含む。中央領域、第３の環状領域、第２の環状領域及び第１の環状領域は多焦点コンタクトレンズの中心から多焦点コンタクトレンズの周辺まで連続して連結され、同心円状である。中央領域、第３の環状領域、第２の環状領域及び第１の環状領域の少なくとも１つは非球面である。
第１７の実施例の多焦点コンタクトレンズの構造は図４を参照可能である。多焦点コンタクトレンズはシリコーンハイドロゲル又はヒドロゲルで作られる。
【０２１２】
第１７の実施例のＤｉＣ、ＤｉＰ１、ＤｉＰ２、ＤｉＰ３、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、ＳｌｏＰＭａｘ、ＳｌｏＰＭｉｎ、ＳｌｏＰＭｉｎ／ＳｌｏＰＭａｘ及び｜ＳｌｏＰ｜の値は表４５に列挙される。
【０２１３】
【表４５】
2018045232.tif 000052
【０２１４】
表４６及び図２８を同時に参照されたい。第１７の実施例の多焦点コンタクトレンズの半径及び対応するディオプターが表４５に列挙される。図２８は第１７の実施例の多焦点コンタクトレンズの半径とディオプターの関係を示す（負の半径は正の半径の反対方向にある）。
【０２１５】
【表４６】
2018045232.tif 000053
【０２１６】
＜第１８の実施例＞
第１８の実施例において、多焦点コンタクトレンズは中央領域、第１の環状領域、第２の環状領域及び第３の環状領域を含む。中央領域、第３の環状領域、第２の環状領域及び第１の環状領域は多焦点コンタクトレンズの中心から多焦点コンタクトレンズの周辺まで連続して連結され、同心円状である。中央領域、第３の環状領域、第２の環状領域及び第１の環状領域の少なくとも１つは非球面である。
第１８の実施例の多焦点コンタクトレンズの構造は図４を参照可能である。多焦点コンタクトレンズはシリコーンハイドロゲル又はヒドロゲルで作られる。
【０２１７】
第１８の実施例のＤｉＣ、ＤｉＰ１、ＤｉＰ２、ＤｉＰ３、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、ＳｌｏＰＭａｘ、ＳｌｏＰＭｉｎ、ＳｌｏＰＭｉｎ／ＳｌｏＰＭａｘ及び｜ＳｌｏＰ｜の値は表４７に列挙される。
【０２１８】
【表４７】
2018045232.tif 000054
【０２１９】
表４８及び図２９を同時に参照されたい。第１８の実施例の多焦点コンタクトレンズの半径及び対応するディオプターが表４８に列挙される。図２９は第１８の実施例の多焦点コンタクトレンズの半径とディオプターの関係を示す（負の半径は正の半径の反対方向にある）。
【０２２０】
【表４８】
2018045232.tif 000055
【０２２１】
＜第１９の実施例＞
第１９の実施例において、多焦点コンタクトレンズは中央領域、第１の環状領域、第２の環状領域及び第３の環状領域を含む。中央領域、第３の環状領域、第２の環状領域及び第１の環状領域は多焦点コンタクトレンズの中心から多焦点コンタクトレンズの周辺まで連続して連結され、同心円状である。中央領域、第３の環状領域、第２の環状領域及び第１の環状領域の少なくとも１つは非球面である。
第１９の実施例の多焦点コンタクトレンズの構造は図４を参照可能である。多焦点コンタクトレンズはシリコーンハイドロゲル又はヒドロゲルで作られる。
【０２２２】
第１９の実施例のＤｉＣ、ＤｉＰ１、ＤｉＰ２、ＤｉＰ３、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、ＳｌｏＰＭａｘ、ＳｌｏＰＭｉｎ、ＳｌｏＰＭｉｎ／ＳｌｏＰＭａｘ及び｜ＳｌｏＰ｜の値は表４９に列挙される。
【０２２３】
【表４９】
2018045232.tif 000056
【０２２４】
表５０及び図３０を同時に参照されたい。第１９の実施例の多焦点コンタクトレンズの半径及び対応するディオプターが表５０に列挙される。図３０は第１９の実施例の多焦点コンタクトレンズの半径とディオプターの関係を示す（負の半径は正の半径の反対方向にある）。
【０２２５】
【表５０】
2018045232.tif 000057
【０２２６】
＜第２０の実施例＞
第２０の実施例において、多焦点コンタクトレンズは中央領域、第１の環状領域、第２の環状領域、第３の環状領域及び第４の環状領域を含む。中央領域、第４の環状領域、第３の環状領域、第２の環状領域及び第１の環状領域は多焦点コンタクトレンズの中心から多焦点コンタクトレンズの周辺まで連続して連結され、同心円状である。中央領域、第４の環状領域、第３の環状領域、第２の環状領域及び第１の環状領域の少なくとも１つは非球面である。
第２０の実施例の多焦点コンタクトレンズの構造は図２２を参照可能である。多焦点コンタクトレンズはシリコーンハイドロゲル又はヒドロゲルで作られる。
【０２２７】
第２０の実施例のＤｉＣ、ＤｉＰ１、ＤｉＰ２、ＤｉＰ３、ＤｉＰ４、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰ４、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、｜ＳｌｏＰ４｜、ＳｌｏＰＭａｘ、ＳｌｏＰＭｉｎ、ＳｌｏＰＭｉｎ／ＳｌｏＰＭａｘ及び｜ＳｌｏＰ｜の値は表５１に列挙される。
【０２２８】
【表５１】
2018045232.tif 000058
【０２２９】
表５２及び図３１を同時に参照されたい。第２０の実施例の多焦点コンタクトレンズの半径及び対応するディオプターが表５２に列挙される。図３１は第２０の実施例の多焦点コンタクトレンズの半径とディオプターの関係を示す（負の半径は正の半径の反対方向にある）。
【０２３０】
【表５２】
2018045232.tif 000059
【０２３１】
＜第２１の実施例＞
第２１の実施例において、多焦点コンタクトレンズは中央領域、第１の環状領域、第２の環状領域、第３の環状領域及び第４の環状領域を含む。中央領域、第４の環状領域、第３の環状領域、第２の環状領域及び第１の環状領域は多焦点コンタクトレンズの中心から多焦点コンタクトレンズの周辺まで連続して連結され、同心円状である。中央領域、第４の環状領域、第３の環状領域、第２の環状領域及び第１の環状領域の少なくとも１つは非球面である。
第２１の実施例の多焦点コンタクトレンズの構造は図２２を参照可能である。多焦点コンタクトレンズはシリコーンハイドロゲル又はヒドロゲルで作られる。
【０２３２】
第２１の実施例のＤｉＣ、ＤｉＰ１、ＤｉＰ２、ＤｉＰ３、ＤｉＰ４、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰ４、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、｜ＳｌｏＰ４｜、ＳｌｏＰＭａｘ、ＳｌｏＰＭｉｎ、ＳｌｏＰＭｉｎ／ＳｌｏＰＭａｘ及び｜ＳｌｏＰ｜の値は表５３に列挙される。
【０２３３】
【表５３】
2018045232.tif 000060
【０２３４】
表５４及び図３２を同時に参照されたい。第２１の実施例の多焦点コンタクトレンズの半径及び対応するディオプターが表５４に列挙される。図３２は第２１の実施例の多焦点コンタクトレンズの半径とディオプターの関係を示す（負の半径は正の半径の反対方向にある）。
【０２３５】
【表５４】
2018045232.tif 000061
【０２３６】
＜第２２の実施例＞
第２２の実施例において、多焦点コンタクトレンズは中央領域、第１の環状領域、第２の環状領域、第３の環状領域及び第４の環状領域を含む。中央領域、第４の環状領域、第３の環状領域、第２の環状領域及び第１の環状領域は多焦点コンタクトレンズの中心から多焦点コンタクトレンズの周辺まで連続して連結され、同心円状である。中央領域、第４の環状領域、第３の環状領域、第２の環状領域及び第１の環状領域の少なくとも１つは非球面である。
第２２の実施例の多焦点コンタクトレンズの構造は図２２を参照可能である。多焦点コンタクトレンズはシリコーンハイドロゲル又はヒドロゲルで作られる。
【０２３７】
第２２の実施例のＤｉＣ、ＤｉＰ１、ＤｉＰ２、ＤｉＰ３、ＤｉＰ４、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰ４、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、｜ＳｌｏＰ４｜、ＳｌｏＰＭａｘ、ＳｌｏＰＭｉｎ、ＳｌｏＰＭｉｎ／ＳｌｏＰＭａｘ及び｜ＳｌｏＰ｜の値は表５５に列挙される。
【０２３８】
【表５５】
2018045232.tif 000062
【０２３９】
表５６及び図３３を同時に参照されたい。第２２の実施例の多焦点コンタクトレンズの半径及び対応するディオプターが表５６に列挙される。図３３は第２２の実施例の多焦点コンタクトレンズの半径とディオプターの関係を示す（負の半径は正の半径の反対方向にある）。
【０２４０】
【表５６】
2018045232.tif 000063
【０２４１】
＜第２３の実施例＞
第２３の実施例において、多焦点コンタクトレンズは中央領域、第１の環状領域、第２の環状領域、第３の環状領域及び第４の環状領域を含む。中央領域、第４の環状領域、第３の環状領域、第２の環状領域及び第１の環状領域は多焦点コンタクトレンズの中心から多焦点コンタクトレンズの周辺まで連続して連結され、同心円状である。中央領域、第４の環状領域、第３の環状領域、第２の環状領域及び第１の環状領域の少なくとも１つは非球面である。
第２３の実施例の多焦点コンタクトレンズの構造は図２２を参照可能である。多焦点コンタクトレンズはシリコーンハイドロゲル又はヒドロゲルで作られる。
【０２４２】
第２３の実施例のＤｉＣ、ＤｉＰ１、ＤｉＰ２、ＤｉＰ３、ＤｉＰ４、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰ４、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、｜ＳｌｏＰ４｜、ＳｌｏＰＭａｘ、ＳｌｏＰＭｉｎ、ＳｌｏＰＭｉｎ／ＳｌｏＰＭａｘ及び｜ＳｌｏＰ｜の値は表５７に列挙される。
【０２４３】
【表５７】
2018045232.tif 000064
【０２４４】
表５８及び図３４を同時に参照されたい。第２３の実施例の多焦点コンタクトレンズの半径及び対応するディオプターが表５８に列挙される。図３４は第２３の実施例の多焦点コンタクトレンズの半径とディオプターの関係を示す（負の半径は正の半径の反対方向にある）。
【０２４５】
【表５８】
2018045232.tif 000065
【０２４６】
＜第２４の実施例＞
第２４の実施例において、多焦点コンタクトレンズは中央領域、第１の環状領域、第２の環状領域、第３の環状領域、第４の環状領域及び第５の環状領域を含む。中央領域、第５の環状領域、第４の環状領域、第３の環状領域、第２の環状領域及び第１の環状領域は多焦点コンタクトレンズの中心から多焦点コンタクトレンズの周辺まで連続して連結され、同心円状である。中央領域、第５の環状領域、第４の環状領域、第３の環状領域、第２の環状領域及び第１の環状領域の少なくとも１つは非球面である。
第２４の実施例の多焦点コンタクトレンズの構造は図２２を参照可能である。多焦点コンタクトレンズはシリコーンハイドロゲル又はヒドロゲルで作られる。
【０２４７】
第２４の実施例のＤｉＣ、ＤｉＰ１、ＤｉＰ２、ＤｉＰ３、ＤｉＰ４、ＤｉＰ５、ＤｉＣ／ＤｉＰ１、ＤｉＣ／ＤｉＰ２、ＰｏｗＣ、ＰｏｗＰ１、ＰｏｗＰ２、ＰｏｗＰ３、ＰｏｗＰ４、ＰｏｗＰ５、ＰｏｗＰＭａｘ、ＰｏｗＰＭｉｎ、ＰｏｗＰＭｉｎ／ＰｏｗＰＭａｘ、｜ＰｏｗＣ−ＰｏｗＰ１｜、｜ＰｏｗＰＭａｘ−ＰｏｗＣ｜／ＰｏｗＰＭａｘ、｜ＳｌｏＣ｜、｜ＳｌｏＰ１｜、｜ＳｌｏＰ２｜、｜ＳｌｏＰ３｜、｜ＳｌｏＰ４｜、｜ＳｌｏＰ５｜、ＳｌｏＰＭａｘ、ＳｌｏＰＭｉｎ、ＳｌｏＰＭｉｎ／ＳｌｏＰＭａｘ及び｜ＳｌｏＰ｜の値は表５９に列挙される。
【０２４８】
【表５９】
2018045232.tif 000066
【０２４９】
表６０及び図３５を同時に参照されたい。第２４の実施例の多焦点コンタクトレンズの半径及び対応するディオプターが表６０に列挙される。図３５は第２４の実施例の多焦点コンタクトレンズの半径とディオプターの関係を示す（負の半径は正の半径の反対方向にある）。
【０２５０】
【表６０】
2018045232.tif 000067
【０２５１】
本開示の多焦点コンタクトレンズによると、第１の実施例から第２４の実施例に開示されたデータは設計値である。設計値と実際の測定値には１％から２０％の差が存在し得る。
【０２５２】
本開示の多焦点コンタクトレンズによると、最大ディオプターは最も大きな値を有するディオプターを指し、その記号（正又は負）が考慮される。
【０２５３】
本開示の多焦点コンタクトレンズによると、環状領域の範囲は以下の様に直線回帰により規定される。散布図が描かれ、半径の値は水平軸（Ｘ）に沿って描かれ、対応するディオプターが垂直軸（Ｙ）に沿って描かれる。最小二乗適合プロセスにより得られた直線の傾向線から線分を切断する。環状領域の範囲は決定係数（Ｒ2）の値が０．９より大きい時に規定される。好ましくは、環状領域の範囲は決定係数（Ｒ2）の値が１に近づく時により良く規定される。
【０２５４】
直線の傾向線は、式（１）により計算され得る。ただし、ｍは傾斜であり、ｂは切片である。
ｙ＝ｍｘ＋ｂ      （１）
【０２５５】
Ｒ2の値は、式（２）により計算され得る。ただし、ＳＳＥは「誤差に対する２乗の合計」の略語であり、ＳＳＴは「合計に対する２乗の合計」の略語である。Ｙｉはｉ番目の場合のＹの実際の値であり、Ｙハットｉはｉ番目の場合の回帰予測であり、ｎはＹｉの合計数である。
【０２５６】
【数１】
2018045232.tif 000068
【０２５７】
本開示の多焦点コンタクトレンズによると、非球面は多焦点コンタクトレンズの中央線に沿った断面図に示された前面又は後面の曲がった形状を意味する。前面は角膜から離れた多焦点コンタクトレンズの表面であり、後面は角膜に近い多焦点コンタクトレンズの表面である。
【０２５８】
本開示の多焦点コンタクトレンズによると、ディオプターはＤで表される。多焦点コンタクトレンズが近視を矯正するためである時、そのディオプターは負である。多焦点コンタクトレンズが遠視を矯正するためである時、そのディオプターは正である。
【０２５９】
本開示によると、毛様体筋麻痺剤は、これに限らないが以下のものを含む。
アトロピン（Ａｔｒｏｐｉｎｅ；（３−ｅｎｄｏ）−８−ｍｅｔｈｙｌ−８−ａｚａｂｉｃｙｃｌｏ［３．２．１］ｏｃｔ−３−ｙｌ ｔｒｏｐａｔｅ）、トロピカミド（Ｔｒｏｐｉｃａｍｉｄｅ；Ｎ−ｅｔｈｙｌ−３−ｈｙｄｒｏｘｙ−２−ｐｈｅｎｙｌ−Ｎ−（４−ｐｙｒｉｄｉｎｙｌｍｅｔｈｙｌ）ｐｒｏｐａｎａｍｉｄｅ）、シクロペントレート（Ｃｙｃｌｏｐｅｎｔｏｌａｔｅ；２−（ｄｉｍｅｔｈｙｌａｍｉｎｏ）ｅｔｈｙｌ（１−ｈｙｄｒｏｘｙｃｙｃｌｏｐｅｎｔｙｌ）（ｐｈｅｎｙｌ）ａｃｅｔａｔｅ）、ホマトロピン（Ｈｏｍａｔｒｏｐｉｎｅ；（３−ｅｎｄｏ）−８−ｍｅｔｈｙｌ−８−ａｚａｂｉｃｙｃｌｏ［３．２．１］ｏｃｔ−３−ｙｌ ｈｙｄｒｏｘｙ（ｐｈｅｎｙｌ）ａｃｅｔａｔｅ）、スコポラミン（Ｓｃｏｐｏｌａｍｉｎｅ；（１Ｒ，２Ｒ，４Ｓ，５Ｓ，７Ｓ）−９−ｍｅｔｈｙｌ−３−ｏｘａ−９−ａｚａｔｒｉｃｙｃｌｏ［３．３．１．０2.4］ｎｏｎ−７−ｙｌ（２Ｓ）−３−ｈｙｄｒｏｘｙ−２−ｐｈｅｎｙｌｐｒｏｐａｎｏａｔｅ）、オイカトロピン（Ｅｕｃａｔｒｏｐｉｎｅ；１，２，２，６−ｔｅｔｒａｍｅｔｈｙｌ−４−ｐｉｐｅｒｉｄｉｎｙｌ ｈｙｄｒｏｘｙ（ｐｈｅｎｙｌ）ａｃｅｔａｔｅ）又はそれらの塩類。毛様体筋麻痺剤は散瞳薬としても知られ、副交感神経遮断剤、即ち非選択的なＭ型ムスカリン性受容体遮断薬に属する。非選択的なＭ型ムスカリン性受容体は、ムスカリン受容体を遮断することで瞳孔の毛様筋の麻痺及び弛緩を制御でき、瞳孔を広げることができる。
【０２６０】
当業者には、本開示の範囲又は精神から逸脱せずに本開示の構造に様々な修正及び変更を行っても良いことが明らかである。上記に照らして、本開示は、以下の請求項の範囲内であれば、本開示の修正及び変更をカバーすることが意図される。
【符号の説明】
【０２６１】
１００・・・・・・・・・・・・・・・・・コンタクトレンズ製品
１１０、２１０、３１０、４１０、５１０・多焦点コンタクトレンズ
１２０・・・・・・・・・・・・・・・・・緩衝液
１１１、２１１、３１１、４１１、５１１・中央領域
１１２，２１２、３１２、４１２、５１２・第１の環状領域
２１３、３１３、４１３、５１３・・・・・第２の環状領域
３１４、４１４、５１４・・・・・・・・・第３の環状領域
４１５、５１５・・・・・・・・・・・・・第４の環状領域
５１６・・・・・・・・・・・・・・・・・第５の環状領域
ＣｏｎＡ・・・・・・・・・・・・・毛様体筋麻痺剤の緩衝液における重量パーセント
ＤｉＣ・・・・・・・・・・・・・・・・・中心領域の直径
ＤｉＰ１・・・・・・・・・・・・・・・・第１の環状領域の外径
ＤｉＰ２・・・・・・・・・・・・・・・・第２の環状領域の外径
ＤｉＰ３・・・・・・・・・・・・・・・・第３の環状領域の外径
ＤｉＰ４・・・・・・・・・・・・・・・・第４の環状領域の外径
ＤｉＰ５・・・・・・・・・・・・・・・・第５の環状領域の外径
ＰｏｗＣ・・・・・・・・・・・・・・・・中心領域のディオプター
ＰｏｗＰ１・・・・・・・・・・・・・・・第１の環状領域のディオプター
ＰｏｗＰ２・・・・・・・・・・・・・・・第２の環状領域のディオプター
ＰｏｗＰ３・・・・・・・・・・・・・・・第３の環状領域のディオプター
ＰｏｗＰ４・・・・・・・・・・・・・・・第４の環状領域のディオプター
ＰｏｗＰ５・・・・・・・・・・・・・・・第５の環状領域のディオプター
ＳｌｏＰ１・・・・・・・・・・・・・・・第１の環状領域の傾斜
ＳｌｏＰ２・・・・・・・・・・・・・・・第２の環状領域の傾斜
ＳｌｏＰ３・・・・・・・・・・・・・・・第３の環状領域の傾斜
ＳｌｏＰ４・・・・・・・・・・・・・・・第４の環状領域の傾斜
ＳｌｏＰ５・・・・・・・・・・・・・・・第５の環状領域の傾斜
【図１】
2018045232.tif 000069
【図２】
2018045232.tif 000070
【図３】
2018045232.tif 000071
【図４】
2018045232.tif 000072
【図５】
2018045232.tif 000073
【図６】
2018045232.tif 000074
【図７】
2018045232.tif 000075
【図８】
2018045232.tif 000076
【図９】
2018045232.tif 000077
【図１０】
2018045232.tif 000078
【図１１】
2018045232.tif 000079
【図１２】
2018045232.tif 000080
【図１３】
2018045232.tif 000081
【図１４】
2018045232.tif 000082
【図１５】
2018045232.tif 000083
【図１６】
2018045232.tif 000084
【図１７】
2018045232.tif 000085
【図１８】
2018045232.tif 000086
【図１９】
2018045232.tif 000087
【図２０】
2018045232.tif 000088
【図２１】
2018045232.tif 000089
【図２２】
2018045232.tif 000090
【図２３】
2018045232.tif 000091
【図２４】
2018045232.tif 000092
【図２５】
2018045232.tif 000093
【図２６】
2018045232.tif 000094
【図２７】
2018045232.tif 000095
【図２８】
2018045232.tif 000096
【図２９】
2018045232.tif 000097
【図３０】
2018045232.tif 000098
【図３１】
2018045232.tif 000099
【図３２】
2018045232.tif 000100
【図３３】
2018045232.tif 000101
【図３４】
2018045232.tif 000102
【図３５】
2018045232.tif 000103
【外国語明細書】
2018045232.tif 000104
2018045232.tif 000105
2018045232.tif 000106
2018045232.tif 000107
2018045232.tif 000108
2018045232.tif 000109
2018045232.tif 000110
2018045232.tif 000111
2018045232.tif 000112
2018045232.tif 000113
2018045232.tif 000114
2018045232.tif 000115
2018045232.tif 000116
2018045232.tif 000117
2018045232.tif 000118
2018045232.tif 000119
2018045232.tif 000120
2018045232.tif 000121
2018045232.tif 000122
2018045232.tif 000123
2018045232.tif 000124
2018045232.tif 000125
2018045232.tif 000126
2018045232.tif 000127
2018045232.tif 000128
2018045232.tif 000129
2018045232.tif 000130
2018045232.tif 000131
2018045232.tif 000132
2018045232.tif 000133
2018045232.tif 000134
2018045232.tif 000135
2018045232.tif 000136
2018045232.tif 000137
2018045232.tif 000138
2018045232.tif 000139
2018045232.tif 000140
2018045232.tif 000141
2018045232.tif 000142
2018045232.tif 000143
2018045232.tif 000144
2018045232.tif 000145
2018045232.tif 000146
2018045232.tif 000147
2018045232.tif 000148
2018045232.tif 000149
2018045232.tif 000150
2018045232.tif 000151
2018045232.tif 000152
2018045232.tif 000153
2018045232.tif 000154
2018045232.tif 000155
2018045232.tif 000156
2018045232.tif 000157
2018045232.tif 000158
2018045232.tif 000159
2018045232.tif 000160
2018045232.tif 000161
2018045232.tif 000162
2018045232.tif 000163
2018045232.tif 000164
2018045232.tif 000165
2018045232.tif 000166
2018045232.tif 000167
2018045232.tif 000168
2018045232.tif 000169
2018045232.tif 000170
2018045232.tif 000171
2018045232.tif 000172
2018045232.tif 000173
2018045232.tif 000174
2018045232.tif 000175
2018045232.tif 000176
2018045232.tif 000177
2018045232.tif 000178
2018045232.tif 000179
2018045232.tif 000180
2018045232.tif 000181
2018045232.tif 000182
2018045232.tif 000183
2018045232.tif 000184
2018045232.tif 000185
2018045232.tif 000186
2018045232.tif 000187
2018045232.tif 000188
2018045232.tif 000189
2018045232.tif 000190
2018045232.tif 000191
2018045232.tif 000192
2018045232.tif 000193
2018045232.tif 000194
2018045232.tif 000195
2018045232.tif 000196
2018045232.tif 000197
2018045232.tif 000198
2018045232.tif 000199
2018045232.tif 000200
2018045232.tif 000201
2018045232.tif 000202
2018045232.tif 000203
2018045232.tif 000204
2018045232.tif 000205
2018045232.tif 000206
2018045232.tif 000207
2018045232.tif 000208
2018045232.tif 000209
2018045232.tif 000210
2018045232.tif 000211
2018045232.tif 000212
2018045232.tif 000213
2018045232.tif 000214
2018045232.tif 000215
2018045232.tif 000216
2018045232.tif 000217
2018045232.tif 000218
2018045232.tif 000219
2018045232.tif 000220
2018045232.tif 000221
2018045232.tif 000222
2018045232.tif 000223
2018045232.tif 000224
2018045232.tif 000225
2018045232.tif 000226
2018045232.tif 000227
2018045232.tif 000228
2018045232.tif 000229
2018045232.tif 000230
2018045232.tif 000231
2018045232.tif 000232
2018045232.tif 000233